(57)【要約】【課題】レスピレータのフィット及び空気ろ過効率を改善する。【解決手段】いくつかの実施形態はレスピレータを含む。レスピレータは、１つ又は複数の層、多重襞及び接触面領域を備えるマスク構造体を含み、１つ又は複数の層はろ過層を含む。一方、レスピレータは、マスク構造体に結合された取り付け機構を含む。取り付け機構は、マスク構造体を使用者の顔面領域に結合するように動作可能である。使用者は、第１前頭突起及び第２前頭突起を有する上顎骨を有し、マスク構造体が取り付け機構により使用者の顔面領域に結合されると、多重襞は、上顎骨の第１前頭突起の上で且つ上顎骨の第２前頭突起の上で接触面領域を使用者の顔面領域に沿わせる。関連するレスピレータ及び方法の他の実施形態も開示する。【選択図】図３
2020510507.tif 000002
【特許請求の範囲】
【請求項１】
１つ又は複数の層、多重襞及び接触面領域を備えるマスク構造体であって、前記１つ又は複数の層がろ過層を含む、マスク構造体と、
前記マスク構造体に結合された取り付け機構であって、前記マスク構造体を使用者の顔面領域に結合するように動作可能である取り付け機構と、
を備え、
前記使用者が、第１前頭突起及び第２前頭突起を有する上顎骨を有し、
前記マスク構造体が、前記取り付け機構により前記使用者の前記顔面領域に結合されると、前記多重襞が、前記接触面領域を前記上顎骨の前記第１前頭突起の上及び前記上顎骨の前記第２前頭突起の上で前記使用者の前記顔面領域に沿わせる、レスピレータ。
【請求項２】
前記使用者の前記顔面領域が、口と鼻孔を有する鼻とをさらに備え、
前記マスク構造体が、前記取り付け機構により前記使用者の前記顔面領域に結合されると、前記多重襞が、前記接触面領域を前記上顎骨の前記第１前頭突起の上及び前記上顎骨の前記第２前頭突起の上で前記使用者の前記顔面領域に沿わせ、その結果、前記接触面領域が、前記使用者の前記顔面領域の前記鼻孔及び前記口の周囲で前記使用者の少なくとも前記顔面領域と機械的シールを形成する、請求項１に記載のレスピレータ。
【請求項３】
前記機械的シールが機械的シール形状を有し、
前記機械的シール形状が、卵形湾曲形状又は洋ナシ形湾曲形状のうちの一方を含む、請求項２に記載のレスピレータ。
【請求項４】
前記多重襞が、前記マスク構造体の少なくとも一部が負のポワソン比を有するように構成された複数の襞を含む、請求項１〜３のいずれか一項に記載のレスピレータ。
【請求項５】
前記多重襞が複数の襞を含み、
前記複数の襞がシンクラスティック襞を含む、請求項１〜３のいずれか一項に記載のレスピレータ。
【請求項６】
前記多重襞のうちの少なくともいくつかが扁平折り畳み可能であるように構成されている、請求項１〜５のいずれか一項に記載のレスピレータ。
【請求項７】
前記マスク構造体に、前記接触面領域を前記上顎骨の前記第１前頭突起の上及び前記上顎骨の前記第２前頭突起の上で前記使用者の前記顔面領域に沿わせるように動作可能な可鍛性バンドがない、請求項１〜６のいずれか一項に記載のレスピレータ。
【請求項８】
１つ又は複数の層と、
多重襞と、
左側と、
前記左側とは反対側の右側と、
を備えるマスク構造体と、
前記マスク構造体に結合された取り付け機構であって、前記マスク構造体を使用者の顔面に結合するように動作可能な取り付け機構と、
第１拘束機構と、
第２拘束機構と、
を備え、
前記１つ又は複数の層がろ過層を含み、
前記マスク構造体が、前記第１拘束機構により前記左側の近傍で合わせて拘束され、
前記マスク構造体が、前記第２拘束機構により前記右側の近傍で合わせて拘束され、
前記多重襞が、前記マスク構造体が、前記第１拘束機構によって拘束される場所の近傍で前記右側に向かって扇形に広がり、且つ、前記マスク構造体が、前記第２拘束機構によって拘束される場所の近傍で前記左側に向かって扇形に広がるように配置されている、レスピレータ。
【請求項９】
前記第１拘束機構が前記第２拘束機構を含む、請求項８に記載のレスピレータ。
【請求項１０】
前記取り付け機構が、前記第１拘束機構又は前記第２拘束機構のうちの少なくとも一方を含む、請求項８又は９に記載のレスピレータ。
【請求項１１】
第１フィット調整機構
をさらに備え、
前記マスク構造体が接触面領域を有し、
前記マスク構造体が、前記取り付け機構により前記使用者の前記顔面領域に結合されると、前記接触面領域が前記使用者の前記顔面領域と接触し、
前記第１フィット調整機構が、前記マスク構造体が前記取り付け機構により前記使用者の前記顔面領域に結合されると、前記接触面領域において前記接触面領域が前記使用者の前記顔面領域と接触する場所を制御するように動作可能である、請求項８〜１０のいずれか一項に記載のレスピレータ。
【請求項１２】
前記第１拘束機構が前記第１フィット調整機構を含む、請求項１１に記載のレスピレータ。
【請求項１３】
前記マスク構造体が外面領域を有し、
前記第１フィット調整機構が、前記マスク構造体が前記取り付け機構により前記使用者の前記顔面領域に結合されると、前記接触面領域において前記接触面領域が前記使用者の前記顔面領域と接触する場所を制御するように、前記外面領域に沿って再配置されるように動作可能である、請求項１１又は１２に記載のレスピレータ。
【請求項１４】
第２フィット調整機構
をさらに備え、
前記第２フィット調整機構が、前記マスク構造体が前記取り付け機構により前記使用者の前記顔面領域に結合されると、前記接触面領域において前記接触面領域が前記使用者の前記顔面領域と接触する場所を制御するように動作可能である、請求項１１〜１３のいずれか一項に記載のレスピレータ。
【請求項１５】
前記第２拘束機構が前記第２フィット調整機構を含む、請求項１４に記載のレスピレータ。
【請求項１６】
前記第１フィット調整機構が前記第２フィット調整機構を含む、請求項１４又は１５に記載のレスピレータ。
【請求項１７】
第１フィット調整機構と、
第２フィット調整機構と、
をさらに備え、
前記マスク構造体が接触面領域を有し、
前記マスク構造体が前記取り付け機構により前記使用者の前記顔面領域に結合されると、前記接触面領域が前記使用者の前記顔面領域と接触し、
前記第１フィット調整機構が、前記マスク構造体が前記取り付け機構により前記使用者の前記顔面領域に結合されると、前記接触面領域において前記接触面領域が前記使用者の前記顔面領域と接触する場所を制御するように動作可能であり、
前記第２フィット調整機構が、前記マスク構造体が前記取り付け機構により前記使用者の前記顔面領域に結合されると、前記接触面領域において前記接触面領域が前記使用者の前記顔面領域と接触する場所を制御するように動作可能であり、
前記取り付け機構が、前記第１フィット調整機構又は前記第２フィット調整機構のうちの少なくとも一方を備える、請求項８に記載のレスピレータ。
【請求項１８】
前記マスク構造体が、
前記左側に近接した左縁と、
前記右側に近接した右縁と、
を有し、
前記左縁又は前記右縁のうちの少なくとも一方の少なくとも一部が、波形である、請求項８〜１７のいずれか一項に記載のレスピレータ。
【請求項１９】
１つ又は複数の層と多重襞とを備えるマスク構造体であって、前記１つ又は複数の層がろ過層を含む、マスク構造体と、
前記マスク構造体に結合された取り付け機構であって、前記マスク構造体を使用者の顔面領域に結合するように動作可能である取り付け機構と、
を備え、
前記多重襞が、前記マスク構造体の少なくとも一部をオーゼティックに挙動させるように配置された複数の襞を含む、レスピレータ。
【請求項２０】
第１拘束機構と、
第２拘束機構と、
をさらに備え、
前記マスク構造体が、
左側と、
前記左側と反対側の右側と、
をさらに備え、
前記マスク構造体が、前記第１拘束機構により前記左側の近傍で合わせて拘束され、
前記マスク構造体が、前記第２拘束機構により前記右側の近傍で合わせて拘束され、
前記多重襞が、前記マスク構造体が、前記第１拘束機構によって拘束される場所で、前記右側に向かって扇形に広がり、且つ、前記マスク構造体が、前記第２拘束機構によって拘束される場所で、前記左側に向かって扇形に広がるように構成されている、請求項１９に記載のレスピレータ。
【請求項２１】
１つ又は複数の層と、
多重襞と、
左側と、
前記左側と反対側の右側と、
前記左側の近傍で前記１つ又は複数の層に形成された開口部の第１組と、
前記右側の近傍で前記１つ又は複数の層に形成された開口部の第２組と、
を備えるマスク構造体と、
前記マスク構造体に結合された取り付け機構であって、前記マスク構造体を使用者の顔面領域に結合するように動作可能な取り付け機構と、
を備え、
前記１つ又は複数の層がろ過層を含み、
前記取り付け機構が、前記開口部の第１組を通過し、且つ前記開口部の第２組を通過する、レスピレータ。
【請求項２２】
前記開口部の第１組の各開口部が、前記１つ又は複数の層内で、前記多重襞の少なくとも１つの襞によって前記開口部の第１組の他の開口部各々から分離されており、
前記開口部の第２組の各開口部が、前記１つ又は複数の層内で、前記多重襞の少なくとも１つの襞によって前記開口部の第２組の他の開口部各々から分離されている、請求項２１に記載のレスピレータ。
【請求項２３】
前記マスク構造体が、前記取り付け機構により前記使用者の前記顔面領域に結合されると、前記取り付け機構が、前記使用者の前記顔面領域における前記レスピレータのフィットを調整するように、前記開口部の第１組又は前記開口部の第２組のうちの少なくとも１つを通して前記使用者によって引っ張られるように構成されている、請求項２１又は２２に記載のレスピレータ。
【請求項２４】
前記マスク構造体が、前記取り付け機構により前記使用者の前記顔面領域に結合されると、前記取り付け機構が、前記取り付け機構が前記マスク構造体を前記使用者の前記顔面領域に結合する緊密度を調整するように、前記開口部の第１組又は前記開口部の第２組のうちの少なくとも１つを通して前記使用者によって引っ張られるように構成されている、請求項２３に記載のレスピレータ。
【請求項２５】
前記マスク構造体が、前記取り付け機構により前記使用者の前記顔面領域に結合されると、前記取り付け機構が、前記取り付け機構が前記マスク構造体を前記使用者の前記顔面領域に結合する緊密度を調整するように、前記開口部の第１組又は前記開口部の第２組のうちの少なくとも１つを通して前記使用者によって引っ張られるように構成されている、請求項２１又は２２に記載のレスピレータ。
【請求項２６】
前記取り付け機構が、前記開口部の第１組又は前記開口部の第２組のうちの少なくとも１つを通して前記使用者によって引っ張られるように構成されており、
前記取り付け機構が停止機構を備え、
前記停止機構が、前記取り付け機構が、前記開口部の第１組又は前記開口部の第２組のうちの少なくとも１つを通して前記使用者によって１つの方向に引っ張られると、前記取り付け機構が前記開口部の第１組又は前記開口部の第２組のうちの少なくとも１つから引き出されるのを防止するように構成されている、請求項２１又は２２に記載のレスピレータ。
【請求項２７】
前記取り付け機構が、
前記取り付け機構の第１部分と、
前記取り付け機構の第２部分と、
を備え、
前記取り付け機構の前記第１部分が、前記取り付け機構の前記第２部分とは別個であり、
前記取り付け機構の前記第１部分が、前記開口部の第２組を通らず、前記開口部の第１組を通り、
前記取り付け機構の前記第２部分が、前記開口部の第１組を通らず、前記開口部の第２組を通る、請求項２１〜２６のいずれか一項に記載のレスピレータ。
【請求項２８】
前記取り付け機構が、前記開口部の第１組を複数回通り、前記開口部の第２組を複数回通る、請求項２１〜２７のいずれか一項に記載のレスピレータ。
【請求項２９】
前記マスク構造体が、
中心と、
前記１つ又は複数の層において前記マスク構造体の前記中心と前記開口部の第１組との間に形成された開口部の第３組と、
前記１つ又は複数の層において前記マスク構造体の前記中心と前記開口部の第２組との間に形成された開口部の第４組と、
をさらに備え、
前記取り付け機構が、前記開口部の第１組、前記開口部の第２組、前記開口部の第３組及び前記開口部の第４組を通る、請求項２１〜２８のいずれか一項に記載のレスピレータ。
【発明の詳細な説明】
【技術分野】
【０００１】
関連出願の相互参照
本出願は、２０１７年２月２７日に出願された米国仮特許出願第１５／４４３，６４３号明細書の利益を主張する。米国仮特許出願第１５／４４３，６４３号明細書は、その全体が参照により本明細書に援用される。
【０００２】
本発明は、概してレスピレータに関し、より詳細には、多重襞及び／又は１つ若しくは複数の拘束機構を有する面体レスピレータと、それを提供する方法とに関する。
【背景技術】
【０００３】
非常に多くの研究により、大気汚染は、心臓疾患及び肺疾患、死亡率の上昇及び生活の質の低下に関連付けられてきた。さらに、直径が約１０マイクロメートルより小さい浮遊粒子は、ヒトに対して重大な健康リスクをもたらす。こうした浮遊粒子は、吸入されると、ヒトの肺内の深くに留まり、そこで粒子は、肺疾患及び心臓疾患にかかる可能性を増大させる。肺が依然として発育している幼児及び小児、並びに肺の能力が低下した高齢者には、汚染空気への曝露から平均的な成人よりさらに大きい健康上のリスクがある。
【０００４】
面体レスピレータは、使用者が浮遊汚染物質、浮遊病原体、ガス、エアゾール等を吸入するのを防止又は制限するように、使用者の呼吸から空気をろ過することができる。面体レスピレータのレスピレータ効率は、面体レスピレータが使用されているときの面体レスピレータの内側に位置するある量の空気における１種又は複数種の物質（たとえば、後に定義するような１種又は複数種の規制物質）の粒子数の、面体レスピレータのすぐ外側に位置する同じ量の空気におけるその１種又は複数種の物質の粒子数に対する尺度である。
【０００５】
浮遊汚染物質、浮遊病原体、ガス、エアゾール等は、面体レスピレータの周縁部に沿って空気漏れが形成される結果として面体レスピレータが十分にフィットしていない場合、使用者によって吸入される可能性が高くなる。面体レスピレータの周縁部に沿った空気漏れは、空気ろ過効率の低下につながる。面体レスピレータの空気ろ過効率が高いほど、レスピレータ内側のより清浄な空気が吸い込まれることになる。
【発明の概要】
【課題を解決するための手段】
【０００６】
したがって、改善されたフィット及び空気ろ過効率を有する面体レスピレータに対して利益の必要又は可能性が存在する。
【０００７】
実施形態のさらなる説明を容易にするために、以下の図面を提供する。
【図面の簡単な説明】
【０００８】
【図１】例示的なヒトの頭部を示す。
【図２】図１の頭部の頭蓋骨を示す。
【図３】実施形態によるレスピレータの正面図を示す。
【図４】図３の実施形態による、線ＩＶ−ＩＶにおけるレスピレータのマスク構造体の拡大右側断面図を示す。
【図５】実施形態による、マスク構造体の多重襞のための折目の例示的な図式を示す。
【図６】図３の実施形態によるレスピレータの背面図を示す。
【図７】図３の実施形態による、レスピレータの１つ又は複数の右調整機構止め具を含むレスピレータの右側図を示す。
【図８】実施形態によるレスピレータを示す。
【図９】実施形態によるレスピレータを示す。
【図１０】レスピレータを提供する（たとえば製造する）方法の実施形態のフローチャートを示す。
【図１１】実施形態によるレスピレータを示す。
【図１２】実施形態によるレスピレータを示す。
【図１３】実施形態によるレスピレータを示す。
【図１４】実施形態によるレスピレータを示す。
【図１５】実施形態によるレスピレータを示す。
【発明を実施するための形態】
【０００９】
例示を簡略化し且つ明確にするために、図面の図は一般的な構築方法を示し、本発明を不要に不明瞭にしないように、周知の特徴及び技法の説明及び詳細は省略する場合がある。さらに、図面の図における要素は、必ずしも正確な縮尺では描かれてはいない。たとえば、本発明の実施形態の理解を向上させるのに役立つように、図における要素のうちのいくつかの寸法は、他の要素に対して誇張している場合がある。異なる図における同じ参照数字は同じ要素を示す。
【００１０】
本明細書における且つ特許請求の範囲において「第１」、「第２」、「第３」、「第４」等の用語があるとすれば、それは、同様の要素を識別するために使用され、必ずしも、特定の連続した又は時系列の順序を記述するために使用されるものではない。そのように使用される用語は、本明細書に記載する実施形態が、たとえば、本明細書に例示し又は他の方法で記載するもの以外の順序での動作を可能にするように、適切な環境の下で入替可能であることが理解されるべきである。さらに、「含む」及び「有する」という用語並びにそれらの任意の変形は、非排他的包含を含むように意図されており、要素のリストを含むプロセス、方法、システム、物品、デバイス又は装置は、必ずしもそれらの要素に限定されず、明示的に列挙されない、又は、こうしたプロセス、方法、システム、物品、デバイス又は装置に固有の他の要素を含むことができる。
【００１１】
本明細書における且つ特許請求の範囲において「左」、「右」、「前、「後」、「上」、「下」、「上に」、「下に」等の用語があるとすれば、それは、説明の目的で使用され、必ずしも、永久的な相対位置を記述するために使用されるものではない。そのように使用される用語は、本明細書に記載する本発明の実施形態が、たとえば、本明細書に例示するか又は他の方法で記載するもの以外の向きでの動作を可能にするように、適切な環境の下で交換可能であることが理解されるべきである。
【００１２】
「結合する（ｃｏｕｐｌｅ）」、「結合された（ｃｏｕｐｌｅｄ）」、「結合する（ｃｏｕｐｌｅｓ）」、「結合（ｃｏｕｐｌｉｎｇ）」等の用語は、広義に理解され、２つ以上の要素又は信号を電気的に、機械的に且つ／又は他の方法で接続することを指すべきである。２つ以上の電気的要素は、電気的に結合されるが、機械的に又は他の方法では結合されない場合があり、２つ以上の機械的要素は、機械的に結合されるが、電気的に又は他の方法で結合されない場合があり、２つ以上の電気的要素は、機械的に結合されるが、電気的に又は他の方法で結合されない場合がある。結合は、任意の長さの時間、たとえば、永久的な若しくは半永久的な時間にわたるか、又はわずかに瞬間であり得る。
【００１３】
「電気的結合」等は、広義に理解され、電力信号、データ信号、及び／又は他のタイプの電気信号若しくは電気信号の組合せであるかに関わらず、任意の電気信号を伴う結合を含むべきである。「機械的結合」等は、広義に理解され、すべてのタイプの機械的結合を含むべきである。
【００１４】
「結合され」等という語の近くに「取外し可能に」、「取外し可能な」等の語がない場合、それは、当該結合等が取外し可能であることも取外し可能ではないことも意味しない。
【００１５】
本明細書で定義する「約」は、いくつかの実施形態では、述べられている値の±１０パーセント以内を意味することができる。他の実施形態では、「約」は、述べられている値の±５パーセント以内を意味することができる。さらなる実施形態では、「約」は、述べられている値の±３パーセント以内を意味することができる。さらに他の実施形態では、「約」は、述べられている値の±１パーセント以内を意味することができる。
【００１６】
いくつかの実施形態はレスピレータを含む。レスピレータは、１つ又は複数の層、多重襞及び接触面領域を備えるマスク構造体を備え、１つ又は複数の層はろ過層を含む。一方、レスピレータは、マスク構造体に結合された取り付け機構を備える。取り付け機構は、マスク構造体を使用者の顔面領域に結合するように動作可能であり得る。使用者は、第１前頭突起及び第２前頭突起を有する上顎骨を有し、マスク構造体が取り付け機構により使用者の顔面領域に結合されると、多重襞は、接触面領域を上顎骨の第１前頭突起の上で且つ上顎骨の第２前頭突起の上で使用者の顔面領域に沿わせることができる。
【００１７】
さらなる実施形態はレスピレータを含む。レスピレータはマスク構造体を備え、マスク構造体は、１つ又は複数の層と、多重襞と、左側と、左側とは反対側の右側とを備える。１つ又は複数の層はろ過層を含む。さらに、レスピレータは、マスク構造体に結合された取り付け機構を備える。取り付け機構は、マスク構造体を使用者の顔面に結合するように動作可能であり得る。さらに、レスピレータは、第１拘束機構及び第２拘束機構を備える。一方、マスク構造体は、第１拘束機構により左側に近接して合わせて拘束することができ、マスク構造体は、第２拘束機構により右側に近接して合わせて拘束することができ、多重襞は、マスク構造体が、第１拘束機構によって拘束される場所に近接して右側に向かって扇形に広がり、且つ、マスク構造体が、第２拘束機構によって拘束される場所に近接して左側に向かって扇形に広がるように、配置することができる。
【００１８】
さらなる実施形態はレスピレータを含む。レスピレータは、１つ又は複数の層と多重襞とを備える。１つ又は複数の層がろ過層を含む。一方、レスピレータは、マスク構造体に結合された取り付け機構を備える。取り付け機構は、マスク構造体を使用者の顔面領域に結合するように動作可能であり得る。さらに、多重襞は、マスク構造体の少なくとも一部にオーゼティックに（ａｕｘｅｔｉｃａｌｌｙ）挙動させるように配置された複数の襞を含むことができる。
【００１９】
さらなる実施形態はレスピレータを含む。レスピレータはマスク構造体を備え、マスク迂構造体は、１つ又は複数の層と、多重襞と、左側と、左側と反対側の右側と、左側に近接して１つ又は複数の層に形成された開口部の第１組と、右側に近接して１つ又は複数の層に形成された開口部の第２組とを備える。さらに、レスピレータは、マスク構造体に結合された取り付け機構を備え、取り付け機構は、マスク構造体を使用者の顔面に結合するように動作可能であり得る。又、１つ又は複数の層はろ過層を含むことができ、取り付け機構は、開口部の第１組を通過し、且つ開口部の第２組を通過することができる。
【００２０】
図面を参照すると、図１及び図２は、本明細書に記載するさまざまな実施形態に対する背景を提供するさまざまなヒトの解剖学的特徴を示す。より具体的には、図１は、例示的なヒト１００の頭部１０１を示し、図２は、頭部１０１（図１）の頭蓋骨２０６を示す。最初に図１を参照すると、頭部１０１は、顔面領域１０２、顎下領域１１５、右耳１１６及び左耳１１７を含む。さらに、顔面領域１０２は、口１０３、鼻孔１０５を含む鼻１０４及び顎先１１４を含む。一方、図２を参照すると、頭蓋骨２０６は、鼻骨２０７、上顎骨２０８、右頬骨２０９、左頬骨２１０及び下顎骨２１１を含み、それらのすべてが顔面領域１０２（図１）の下にある。さらに、上顎骨２０８は、右前頭突起２１２及び左前頭突起２１３を含む。
【００２１】
図面を先に進むと、図３は、実施形態によるレスピレータ３００の正面図を示す。レスピレータ３００は、単に例示的であり、本明細書に提示する実施形態に限定されない。レスピレータ３００は、本明細書に具体的には図示も記載もしない多くの実施形態又は例において採用することができる。
【００２２】
より詳細に後述するように、多くの実施形態では、レスピレータ３００は、面体レスピレータとして動作可能であり得る。たとえば、レスピレータ３００は、使用者及び／又は１人若しくは複数の他の人が１種又は複数種の規制物質を吸入するのを防止又は制限するように動作可能であり得る。多くの実施形態では、使用者及び／又は他の人は、ヒト１００（図１）と同様であるか又は同一であり得る。一方、本明細書で用いる規制物質は、（ｉ）吸引した場合、そうした使用者及び／又は他の人に有害である１種若しくは複数種の物質、及び／又は（ｉｉ）使用者及び／又は他の人が吸引することを望まない１種若しくは複数種の物質を指すことができる。例示的な規制物質としては、１種又は複数種の浮遊粒子（たとえば、約１０マイクロメートル以下の最大寸法（たとえば直径）を有する１種又は複数種の浮遊粒子）、１種又は複数種の浮遊病原体、１種又は複数種のガス（たとえば、１種又は複数種の蒸気）、１種又は複数種のエアゾール等を挙げることができる。より具体的な例では、規制物質としては、工業又は商業プロセス、燃焼（たとえば、化石燃料燃焼）又は気象現象（たとえば、砂塵嵐）から生ずる１種又は複数種の浮遊物質、１種又は複数種のウイルス性病原体、１種又は複数種の細菌性病原体等を挙げることができる。浮遊粒子をろ過することにより、レスピレータ３００は又、大粒子もろ過して除去する。
【００２３】
レスピレータ３００は、マスク構造体３０１及び取り付け構造体３０２を備える。さらに、レスピレータ３００は、右拘束機構３０３、左拘束機構３０４、右調整機構３０５及び／又は左調整機構３０６を備えることができる。より詳細に後述するように、いくつかの実施形態では、取り付け機構３０２は、右拘束機構３０３及び／又は左拘束機構３０４を含むことができ、右拘束機構３０３は右調整機構３０５を含むことができ、左拘束機構３０４は左調整機構３０６を含むことができ、右拘束機構３０３は左拘束機構３０４を含むことができ、その逆も可能であり、且つ／又は右調整機構３０５は左調整機構３０６を含むことができ、その逆も可能である。一方、これらの実施形態又は他の実施形態では、右拘束機構３０３、左拘束機構３０４、右調整機構３０５及び左調整機構３０６のうちの１つ又は複数を省略することができる。
【００２４】
多くの実施形態において、マスク構造体３０１は、１つ又は複数の層３０７、多重襞３０８、接触面６０９（図６）及び外面３１０を備えることができる。マスク構造体３０１は、右縁６３２（図６）、左縁６３３（図６）、上縁６３４（図６）及び下縁６３５（図６）を有することができる。いくつかの実施形態では、マスク構造体３０１は、１つ若しくは複数の呼吸開口部３２４、１つ若しくは複数の可鍛性バンド３２５、１つ若しくは複数の呼気弁３２６、１つ若しくは複数の右調整機構止め具３２７及び／又は１つ若しくは複数の左調整機構止め具３２８を備えることができる。さらに、可鍛性バンド３２５は鼻可鍛性バンド３３１を備えることができる。しかしながら、より詳細に後述するように、他の実施形態では、呼吸開口部３２４、可鍛性バンド３２５、呼気弁３２６、右調整機構止め具３２７及び／又は左調整機構止め具３２８を省略することができる。一方、参照の目的で、マスク構造体３０１は、上側３１１、右側３１２、下側３１３及び左側３１４を有することができる。上側３１１は、下側３１３の反対側とすることができ、その逆も可能であり、右側３１２は、左側３１４の反対側とすることができ、その逆も可能である。
【００２５】
図面を先に進むと、図４は、図３の実施形態による、図３の線ＩＶ−ＩＶにおけるマスク構造体３０１の拡大右側断面図を示す。層３０７は、ろ過層４１５を含むことができ、ろ過層４１５は、ろ過層第１面４１６と、ろ過層第１面４１６とは反対側のろ過層第２面４１７とを備えることができる。いくつかの実施形態において、層３０７は支持層４１８を含むことができ、支持層４１８は、支持層第１面４１９と、支持層第１面４１９とは反対側の支持層第２面４２０とを備えることができる。さらなる実施形態において、層３０７は、接触層４２１を含むことができ、接触層４２１は、接触層第１面４２２と接触層第１面４２２とは反対側の接触層第２面４２３とを備えることができる。より詳細に後述するように、他の実施形態では、支持層４１８及び／又は接触層４２１を省略することができる。
【００２６】
多くの実施形態において、ろ過層４１５は、酸素に対して透過性であり、少なくとも１種又は複数種の規制物質に対して不透過性であり得る。すなわち、ろ過層４１５は、規制物質に対するフィルタとして機能することができる。さらなる実施形態では、ろ過層４１５は又、たとえば、窒素、アルゴン、二酸化炭素、水素、ネオン、クリプトン、ヘリウム、メタン等、１種又は複数種の他のガスに対して透過性でもあり得る。これらの実施形態又は他の実施形態において、ろ過層４１５は、規制物質を除いて空気に対して透過性であり得る。
【００２７】
いくつかの実施形態において、ろ過層４１５は、米国の国立労働安全衛生研究所（Ｎａｔｉｏｎａｌ  Ｉｎｓｔｉｔｕｔｅ  ｆｏｒ  Ｏｃｃｕｐａｔｉｏｎａｌ  Ｓａｆｅｔｙ  ａｎｄ  Ｈｅａｌｔｈ  ｏｆ  ｔｈｅ  Ｕｎｉｔｅｄ  Ｓｔａｔｅｓ  ｏｆ  Ａｍｅｒｉｃａ）によって定義されるようなフィルタ等級を有するフィルタとして動作することができる。たとえば、ろ過層４１５のフィルタ等級は、Ｎ９５、Ｎ９９、Ｎ１００、Ｐ９５又はＰ９９フィルタ等級のうちの１つを含むことができる。多くの実施形態において、ろ過層４１５に対して実施されるフィルタ等級は、ろ過層４１５がろ過によって除去するように意図される規制物質に従って選択することができる。いくつかの実施形態において、ろ過層４１５は、米国マサチューセッツ州イーストウォルポールのＨｏｌｌｉｎｇｓｗｏｒｔｈ  ＆  Ｖｏｓｅ社によって製造されるろ紙を含むことができる。
【００２８】
さらに、ろ過層４１５は、１種又は複数種のろ過層材料を含むことができる。ろ過層材料は、酸素又は空気に対して透過性であり且つ規制物質に対して不透過性である任意の好適な１種の材料又は複数種の材料を含むことができる。たとえば、ろ過層材料は、ポリプロピレン及び／又はポリエステルを含むことができる。
【００２９】
さらに、ろ過層４１５は、ろ過層第１面４１６とろ過層第２面４１７との間に延在するろ過層厚さを有することができる。多くの実施形態において、ろ過層４１５のろ過層厚さは、約０．２７９４ミリメートル以上且つ／又は約１．７５２６ミリメートル以下であり得る。しかしながら、概して、ろ過層４１５のろ過層厚さは、ろ過層４１５が規制物質に対してフィルタとして機能し、多重襞３０８（図３）がマスク構造体３０１（図３）に形成されるのを可能にするのを可能にする任意の好適な厚さであり得る。たとえば、いくつかの実施形態において、ろ過層４１５のろ過層厚さは約０．５０８ミリメートルであり得る。
【００３０】
さらに、ろ過層４１５は、ろ過層坪量又は連量を有することができる。たとえば、ろ過層坪量は、約５０グラム／平方メートル以上且つ／又は約１７８グラム／平方メートル以下であり得る。しかしながら、概して、ろ過層４１５のろ過層坪量は、ろ過層４１５が規制物質に対してフィルタとして機能し、多重襞３０８（図３）がマスク構造体３０１（図３）に形成されるのを可能にするのを可能にする任意の好適な坪量であり得る。たとえば、いくつかの実施形態において、ろ過層４１５のろ過層坪量は、約７０グラム／平方メートルであり得る。
【００３１】
さらに、ろ過層４１５は、気流抵抗を有することができる。たとえば、いくつかの実施形態において、ろ過層４１５の気流抵抗は、１７０平方センチメートルのろ過面積にわたって８５リットル／分の空気流量に対して、米国ミネソタ州ショアビューのＴＳＩ  Ｉｎｃｏｒｐｏｒａｔｅｄの自動化フィルタテスタモデル８１３０によって試験した場合、約８．６ミリメートル以上の水であり得る。これらの実施形態又は他の実施形態において、ろ過層４１５の気流抵抗は、１７０平方センチメートルのろ過面積にわたって８５リットル／分の空気流量に対して、米国ミネソタ州ショアビューのＴＳＩ  Ｉｎｃｏｒｐｏｒａｔｅｄの自動化フィルタテスタモデル８１３０によって試験した場合、約２０ミリメートル以下の水であり得る。多くの実施形態において、ろ過層４１５の気流抵抗は、１７０平方センチメートルのろ過面積にわたって８５リットル／分の空気流量に対して、米国ミネソタ州ショアビューのＴＳＩ  Ｉｎｃｏｒｐｏｒａｔｅｄの自動化フィルタテスタモデル８１３０によって試験した場合、約１３．７ミリメートルの水であり得る。
【００３２】
さらに、ろ過層４１５は、ろ過効率を有することができる。たとえば、多くの実施形態において、ろ過層４１５のろ過効率は、２．５ミクロンサイズの試験粒子に対して約９５％又は９９％以上であり得る。これらの実施形態において、試験粒子は、石油系エアゾールを含むことができ、又は、石油系エアゾールが全くないものとすることができる。他の実施形態では、ろ過層４１５のろ過効率は、２．５ミクロンサイズの試験粒子に対して約１００％であり得る。これらの実施形態では、試験粒子は、石油系エアゾールはまったくないものとすることができる。
【００３３】
多くの実施形態において、支持層４１８は、マスク構造体３０１（図３）に多重襞３０８（図３）が形成された後、マスク構造体３０１（図３）に多重襞３０８（図３）を継続して維持するようにマスク構造体３０１（図３）を支持するように機能することができる。これらの実施形態又は他の実施形態において、支持層４１８は又、ろ過層４１５を保護するようにも機能することができる。いくつかの実施形態において、支持層４１８は、米国バージニア州チェサピークのＹｕｐｏ  Ｃｏｒｐｏｒａｔｉｏｎ  Ａｍｅｒｉｃａによって製造される紙を含むことができる。いくつかの実施形態では、支持層４１８は、水、空気及び／又は酸素に対して不透過性であり得る。
【００３４】
さらに、支持層４１８は、１種又は複数種の支持層材料を含むことができる。支持層材料は、マスク構造体３０１（図３）に多重襞３０８（図３）が形成された後、支持層４１８に多重襞３０８（図３）を継続して維持するようにマスク構造体３０１（図１）を支持することができる、任意の好適な１種の材料又は複数種の材料を含むことができる。たとえば、支持層材料は、ポリプロピレン及び／又はポリエステルを含むことができる。
【００３５】
さらに、支持層４１８は、支持層第１面４１９と支持層第２面４２０との間に延在する支持層厚さを有することができる。多くの実施形態において、支持層４１８の支持層厚さは、約０．１１ミリメートル以上且つ／又は約０．１７ミリメートル以下であり得る。しかしながら、概して、支持層４１８の支持層厚さは、マスク構造体３０１（図３）に多重襞３０８（図３）が形成され、支持層４１８が、マスク構造体３０１（図３）に多重襞３０８（図３）が形成された後に支持層４１８において多重襞３０８（図３）を継続して維持するようにマスク構造体３０１（図３）を支持するのを可能にする、任意の好適な厚さであり得る。
【００３６】
さらに、支持層４１８は、支持層坪量又は連量を有することができる。たとえば、支持層坪量は、約１５グラム／平方メートル以上且つ／又は約３０グラム／平方メートル以下であり得る。しかしながら、概して、支持層４１８の支持層坪量は、マスク構造体３０１（図３）に多重襞３０８（図３）が形成され、支持層４１８が、マスク構造体３０１（図３）に多重襞３０８（図３）が形成された後に支持層４１８において多重襞３０８（図３）を継続して維持するようにマスク構造体３０１（図３）を支持するのを可能にする、任意の好適な坪量であり得る。
【００３７】
多くの実施形態において、接触層４２１は、接触層第１面４２２及び／又は接触層第２面４２３において湿気を吸い出すように毛管作用を提供するように機能することができる。これらの実施形態又は他の実施形態において、接触層４２１は又、ろ過層４１５を保護するようにも機能することができる。いくつかの実施形態において、接触層４２１は、Ｈｅｌｓｉｎｋｉ，ＦｉｎｌａｎｄのＡｈｌｓｔｒｏｍ  Ｃｏｒｐｏｒａｔｉｏｎによって製造される紙を含むことができる。多くの実施形態において、接触層４２１は、酸素又は空気に対して透過性であり得る。
【００３８】
さらに、接触層４２１は、１種又は複数種の接触層材料を含むことができる。接触層材料は、接触層第１面４２２及び／又は接触層第２面４２３において湿気を吸い出すように毛管作用を提供することができる、任意の好適な１種の材料又は複数種の材料を含むことができる。たとえば、接触層材料は、ポリプロピレン及び／又はポリエステルを含むことができる。
【００３９】
さらに、接触層４２１は、接触層第１面４２２とろ過層第２面４２３との間に延在する接触層厚さを有することができる。多くの実施形態において、接触層４２１の接触層厚さは、約０．０７ミリメートル以上且つ／又は約０．３７ミリメートル以下であり得る。しかしながら、概して、接触層４２１の接触層厚さは、接触層４２１が接触層第１面４２２及び／又は接触層第２面４２３において湿気を吸い出す毛管作用を提供し、マスク構造体３０１（図３）に多重襞３０８（図３）が形成されるのを可能にするのを可能にする任意の好適な厚さであり得る。
【００４０】
さらに、接触層４２１は、接触層坪量又は連量を有することができる。接触層坪量は、約１５グラム／平方メートル以上且つ／又は約３０グラム／平方メートル以下であり得る。しかしながら、概して、いくつかの実施形態において、接触層４２１の接触層坪量は、マスク構造体３０１（図３）に多重襞３０８（図３）が形成され、接触層４２１が、マスク構造体３０１（図３）に多重襞３０８（図３）が形成された後に接触層４２１において多重襞３０８（図３）を継続して維持するようにマスク構造体３０１（図３）を支持するのを可能にする、任意の好適な坪量であり得る。
【００４１】
多くの実施形態において、層３０７は、複数の層（たとえば、ろ過層４１５及び支持層４１８及び／又は接触層４２１）を含む場合、積層体で配置することができる。たとえば、図４に示すように、接触層４２１が実施される場合、ろ過層４１５は接触層４２１の上に配置することができ、且つ／又は、支持層４１８が実施される場合、支持層４１８はろ過層４１５の上に配置することができる。これらの実施形態において、ろ過層４１５の下に接触層４２１を配置することにより、接触層４２１がろ過層４１５を保護するのを可能にすることができ、且つ／又は、ろ過層４１５の上に支持層４１８を配置することにより、支持層４１８がろ過層４１５を保護するのを可能にすることができる。
【００４２】
これらの実施形態又は他の実施形態において、層３０７が複数の層（たとえば、ろ過層４１５及び支持層４１８及び／又は接触層４２１）を含む場合、層３０７の隣接する対を互いに結合することができる。たとえば、接触層４２１が実施される場合、ろ過層第１面４１６は接触層第２面４２３に結合することができ、且つ／又は、支持層４１８が実施される場合、ろ過層第２面４１７は支持層第１面４１９に結合することができる。これらの実施形態において、層３０７の隣接する対は、超音波接合、縫合、テーピング、接着等を含む任意の好適な方法で互いに結合することができる。いくつかの実施形態において、層３０７の隣接する対は、それらの外周部の一部又はすべてに沿って、且つ／又は多重襞３０８（図３）の一部又はすべてにおいて互いに結合することができる。多くの実施形態において、層３０７の隣接する対は、層３０７の隣接する対の外周部において層３０７の隣接する対の間に密封を形成するために、それらの外周部のすべてに沿って互いに結合することができる。
【００４３】
多くの実施形態において、マスク構造体３０１（図３）に多重襞３０８（図３）が形成された後、ろ過層４１５が、マスク構造体３０１（図３）において多重襞３０８（図３）を継続して維持するようにマスク構造体３０１（図３）を支持することができない場合、支持層４１８を実施することができる。これらの実施形態又は他の実施形態において、ろ過層４１５が、ろ過層第１面４１６及び／又はろ過層第２面４１７において湿気を吸い出すように毛管作用を提供することができない場合、接触層４２１を実施することができる。しかしながら、いくつかの実施形態において、ろ過層４１５は、（ｉ）マスク構造体３０１（図３）に多重襞３０８（図３）が形成された後にマスク構造体３０１（図３）において多重襞３０８（図３）を継続して維持するようにマスク構造体３０１（図３）を支持し、且つ／又は、（ｉｉ）ろ過層第１面４１６及び／又はろ過層第２面４１７において湿気を吸い出すように毛管作用を提供するように機能することができる。したがって、ろ過層４１５が、マスク構造体３０１（図３）に多重襞３０８（図３）が形成された後、マスク構造体３０１（図３）において多重襞３０８（図３）を継続して維持するようにマスク構造体３０１（図３）を支持することができる場合、且つ、いくつかの実施形態において、ろ過層４１５が通常の使用中に裂けないように十分頑強である場合、支持層４１８を省略することができる。これらの実施形態又は他の実施形態において、ろ過層４１５が、ろ過層第１面４１６及び／又はろ過層第２面４１７において湿気を吸い出すように毛管作用を提供することができる場合、且つ、さらなる実施形態において、ろ過層４１５が、通常の使用中に裂けないように十分頑強である場合、接触層４２１を省略することができる。
【００４４】
いくつかの実施形態において、接触層６０９（図６）は、たとえば、接触層４２１が実施される場合等、接触層第１面４２２を備えることができる。他の実施形態において、接触層６０９（図６）は、たとえば、接触層４２１が省略される場合等、ろ過層第１面４１６を備えることができる。
【００４５】
これらの実施形態又は他の実施形態において、外面３１０（図３）は、たとえば、支持層４１８が実施される場合等、支持層第２面４２０を備えることができる。他の実施形態において、外面３１０（図３）は、たとえば、支持層４１８が省略される場合等、ろ過層第２面４１７を備えることができる。
【００４６】
ここで再び図３を参照すると、上述したように、マスク構造体３０１は、多重襞３０８を備えることができる。多くの実施形態において、多重襞３０８は、複数の山−谷襞を含むことができる。さらに、多重襞３０８は、１つ又は複数の折紙折り畳みパターンで配置することができる。
【００４７】
これらの実施形態又は他の実施形態において、多重襞３０８は、複数の水平襞、複数の垂直襞及び／又は複数の斜方向襞を含むことができる。たとえば、いくつかの実施形態において、多重襞３０８は、約７以上の水平襞、及び／又は約３１以下の水平襞を含むことができる。これらの実施形態又は他の実施形態において、多重襞３０８は、約３以上の垂直襞及び／又は約１２以下の垂直襞を含むことができる。
【００４８】
参照の目的でマスク構造体３０１の中心点に原点を有するデカルト座標系を適用することにより、垂直襞は、デカルト座標系のｙ軸に対しておよそ平行に上側３１１から下側３１３まで延在する襞を指すことができ、水平襞は、デカルト座標系のｘ軸に対して及び平行に右側３１２から左側３１４まで延在する襞を指すことができる。又、垂直襞は、水平襞に対しておよそ垂直に向けることができ、その逆も可能である。一方、デカルト座標系は、そのｘ軸がマスク構造体３０１を及び上半分及び下半分に分割するように、且つ、そのｙ軸が、マスク構造体３０１をおよそ右半分及び左半分に分割するように、向けることができる。さらに、後述するように、取り付け機構３０２が、マスク構造体３０１を使用者の顔面領域に結合しているとき、ｙ軸は、使用者の顔面領域の鼻の長さに対しておよそ平行に向けることができる。さらに、斜方向襞は、水平襞及び垂直襞以外の他の任意の向きを有する襞、及び／又はｘ軸及びｙ軸に関して斜めである襞を指すことができる。
【００４９】
多くの実施形態において、マスク構造体３０１に多重襞３０８を形成することができる。たとえば、いくつかの実施形態において、多重襞３０８は、多重襞３０８を形成するために、マスク構造体３０１になるように折り畳むことができる。いくつかの実施形態において、多重襞３０８のうちの一部又はすべては、マスク構造体３０１において手により手作業で形成することができる。さらなる実施形態において、多重襞３０８のうちの一部又はすべては、１つ又は複数の折り畳み機によって自動的に形成することができる。さまざまな実施形態において、多重襞３０８の折目において多重襞３０８の面を合わせて接合する（たとえば、互いに超音波接合する）ことによる以外で、マスク構造体３０１に多重襞３０８が形成される。
【００５０】
多くの実施形態において、マスク構造体３０１に多重襞３０８が形成される場所は、２次元又は３次元パラメトリックモデリングを使用して決定することができる。たとえば、いくつかの実施形態において、２次元又は３次元パラメトリックモデリングを実施して、１つ又は複数のパラメータ入力に基づいて多重襞３０８に対応する折目の図式を生成するように、コンピュータソフトウェアをプログラムすることができる。いくつかの実施形態において、パラメータ入力は、水平襞、垂直襞及び／又は斜方向襞の１つの数若しくは複数の数、水平襞、垂直襞及び／又は斜方向襞の間の１つの距離若しくは複数の距離、層３０７の１つの厚さ若しくは複数の厚さ、任意の開口部（後述する）の１つの直径若しくは複数の直径等を含むことができる。さらなる実施形態において、パラメータ入力は、使用者又は平均的な人の解剖学的寸法に基づいて決定することができる。
【００５１】
一時的に図面を進むと、図５は、実施形態による、マスク構造体５０１の多重襞５０８に対する折目の例示的な図式を示す。マスク構造体５０１は、マスク構造体３０１（図３）と同様又は同一とすることができ、多重襞５０８は、多重襞３０８（図３）と同様又は同一とすることができる。
【００５２】
再び図３を参照すると、これらの実施形態又は他の実施形態において、層３０７が、複数の層（たとえば、ろ過層４１５（図４）及び支持層４１８（図４）及び／又は接触層４２１（図４））を含む場合、層３０７の隣接する対が互いに結合された後に、マスク構造体３０１に多重襞３０８を形成することができる。いくつかの実施形態において、マスク構造体３０１に多重襞３０８が形成される前に、たとえば、マスク構造体３０１が多重襞３０８を受け入れ且つ／又はマスク構造体３０１において多重襞３０８の折り畳みを誘導するのをより適切に可能にする等のために、多重襞３０８が形成されるべき場所で、層３０７のうちの１つ又は複数（たとえば、支持層４１８（図４））に刻み目付け且つ／又はエンボス加工することができる。これらの実施形態又は他の実施形態において、たとえば、ダイプレス、レーザカッタによる等、任意の好適な方法で、多重襞３０８が形成されるべき場所で、層３０７のうちの１つ又は複数（たとえば、支持層４１８（図４））に刻み目付けすることができる。さらに、層３０７が複数の層（たとえば、ろ過層４１５（図４）及び支持層４１８（図４）及び／又は接触層４２１（図４））を含む場合、且つ、層３０７の隣接する対が超音波接合によって互いに結合される場合、接合線は、マスク構造体３０１における多重襞３０８の折り畳みを誘導することができる。
【００５３】
いくつかの実施形態において、層３０７のうちの１つ又は複数が、酸素又は空気に対して不透過性である場合、マスク構造体３０１、より具体的には、酸素又は空気に対して不透過性である層３０７のうちの１つ又は複数は、酸素又は空気が、酸素又は空気に対して不透過性である層３０７のうちの１つ又は複数を通過するのを可能にするように構成された、１つ又は複数の開口部を備えることができる。したがって、酸素又は空気に対して不透過性である層３０７のうちの１つ又は複数に開口部を実施することは、酸素又は空気に対して不透過性である層３０７のうちの１つ又は複数が、レスピレータ３００が面体レスピレータとして動作するのを妨げないことを確実にするのに役立つことができる。これらの実施形態又は他の実施形態において、たとえば、ダイプレス、レーザカッタ等を含む、任意の好適な方法で、開口部を形成することができる。多くの実施形態において、開口部は、多重襞３０８とオーバーラップしないように形成することができるが、他の実施形態では、開口部の少なくとも一部は、多重襞３０８とオーバーラップすることができる。いくつかの実施形態において、使用者によって使用されている眼用装置（たとえば、ゴーグル、眼鏡等）の曇りを低減させるように、開口部は上側３１１から離れて形成することができる。さらに、開口部は、サイズが巨視的から微視的までの範囲であり得る。
【００５４】
たとえば、多くの実施形態において、支持層４１８（図４）が酸素又は空気に対して不透過性である場合、マスク構造体３０１、より具体的には支持層４１８（図４）は、酸素又は空気が支持層４１８（図４）を通過するのを可能にするように呼吸用開口部３２４を備えることができる。他の実施形態では、たとえば、支持層４１８（図４）が省略される場合等、呼吸用開口部３２４を省略することができる。
【００５５】
多くの実施形態において、多重襞３０８は、マスク構造体３０１を（たとえば、ベローズの襞に類似して）伸張させることができるようにすることができる。
【００５６】
さらなる実施形態において、多重襞３０８のうちの少なくともいくつか（すなわち、複数の襞のうちの１つ又は複数のグループ）は、マスク構造体３０１の少なくとも一部にオーゼティックに挙動させるように配置することができる。たとえば、多重襞３０８は、１つ若しくは複数のウォーターボム（ｗａｔｅｒｂｏｍｂ）折り畳みパターンで配置された複数の襞の第１グループ、１つ若しくは複数のロンレッシュ（Ｒｏｎ  Ｒｅｓｃｈ）折り畳みパターンで配置された複数の襞の第２グループ、１つ若しくは複数のミウラ折り折り畳みパターンで配置された複数の襞の第３グループ、及び／又はオーゼティックに挙動するように構成された１つ若しくは複数の他の折り畳みパターンで配置された複数の襞の１つ若しくは複数の他のグループを含むことができる。したがって、複数の襞のグループにオーゼティックに挙動させるマスク構造体３０１の一部又は複数の部分は、接触面６０９（図６）及び外面３１０に対しておよそ平行であり、且つ、マスク構造体３０１に加えられる引張力の方向に対しておよそ垂直である方向に拡張することができる。これらの実施形態又は他の実施形態において、マスク構造体３０１の少なくとも一部（たとえば、オーゼティックに挙動するマスク構造体３０１の少なくとも一部）は、負のポアソン比を有することができる。マスク構造体３０１の少なくとも一部にオーゼティックに挙動させるように多重襞３０８のうちの少なくともいくつかを配置する利点については、より詳細に後述する。
【００５７】
さらなる実施形態において、多重襞３０８のうちの少なくともいくつか（すなわち、複数の襞の１つ又は複数のグループ）は、シンクラスティック（ｓｙｎｃｌａｓｔｉｃ）襞を含むことができる。シンクラスティック襞は、第１軸（たとえば、ｘ軸）に沿って襞においてマスク構造体３０１に加えられる曲げにより、マスク構造体３０１が、第１軸に対しておよそ垂直な第２軸（たとえば、ｙ軸）に沿って襞において同じ方向（たとえば、接触面６０９（図６）及び外面３１０に対しておよそ垂直な方向）にも曲がり、その逆も可能であるように配置される、襞を指すことができる。これらの実施形態又は他の実施形態において、シンクラスティック襞は、正の曲率で曲がるように構成される襞を指すことができる。たとえば、いくつかの実施形態において、シンクラスティック襞は、およそ球状に曲がることができる。いくつかの実施形態において、マスク構造体３０１の少なくとも一部にオーゼティックに挙動させるように配置された複数の襞のグループのうちの１つ又は複数は、シンクラスティック襞を含む複数の襞のグループのうちの１つ又は複数を含むことができ、その逆も可能である。
【００５８】
さらなる実施形態において、多重襞３０８のうちの少なくともいくつかは、扁平折り畳み可能（ｆｌａｔ−ｆｏｌｄａｂｌｅ）であるように構成することができる。いくつかの実施形態において、多重襞３０８のうちの１つの襞は、新たな襞を形成することなく平面に押しつぶすことができる場合、扁平折り畳み可能であるように構成することができる。これらの実施形態又は他の実施形態において、多重襞３０８のうちの１つの襞は、襞に損傷を与えることなく襞を平面に押しつぶすことができる場合、扁平折り畳み可能であるように構成することができる。さらなる実施形態では、多重襞３０８のうちの大部分（たとえば、半分を超える）又はすべてを扁平折り畳み可能であるように構成することができる。いくつかの実施形態では、多重襞３０８のうちの少なくとも一部、大部分又はすべてを扁平折り畳み可能であるように構成することは、レスピレータ３００がより小型に収納されるのを可能にするために有利であり得る。
【００５９】
多くの実施形態において、上述したように、レスピレータ３００は、右拘束機構３０３及び／又は左拘束機構３０４を備えることができる。これらの実施形態又は他の実施形態において、右拘束機構３０３は、右側３１２に近接して（たとえば、マスク構造体３０１の中心より右側３１２寄りに）マスク構造体３０１を合わせて拘束して、マスク構造体３０１を合わせて右側３１２に近接するようにすることができ、左拘束機構３０４は、左側３１４に近接して（たとえば、マスク構造体３０１の中心より左側３１３寄りに）マスク構造体３０１を合わせて拘束して、マスク構造体３０１を合わせて左側３１４に近接するようにすることができる。たとえば、多重襞３０８が多重水平襞を含む場合、右拘束機構３０３は、マスク構造体３０１を合わせて右側３１２に近接するようにして、多重水平襞の面が右拘束機構３０３において互いにおよそ平行になるようにすることができ、左拘束機構３０４は、マスク構造体３０１を左側３１４に近接するようにして、複数の水平襞の面が左拘束機構３０４において互いにおよそ平行になるようにすることができる。
【００６０】
実施において、右拘束機構３０３は、マスク構造体３０１を右側３１２に近接するように拘束してマスク構造体３０１を合わせて右側３１２に近接するようにする任意の好適な１つの機構又は複数の機構を備えることができ、左拘束機構３０４は、マスク構造体３０１を合わせて左側３１４に近接するように拘束してマスク構造体３０１を合わせて左側３１４に近接するようにすることができる任意の好適な１つの機構又は複数の機構を備えることができる。いくつかの実施形態において、右拘束機構３０３は、右側３１２に近接してマスク構造体３０１の周囲に巻き付けられたストラップ、バンド及び／又は糸を備えることができる。これらの実施形態又は他の実施形態において、多重襞３０８が多重水平襞を含む場合、右拘束機構３０３は、右側３１２に近接して多重水平襞の面に塗布されて複数の水平襞の面を合わせて接合する接着剤を含むことができる。これらの実施形態又は他の実施形態において、右拘束機構３０３は、右側３１２に近接してマスク構造体３０１に取り付けられるクリップ及び／又はクランプを備えることができる。一方、左拘束機構３０４は、右拘束機構３０４と同様又は同一であり得るが、右側３１２ではなく左側３１４に関する。たとえば、右拘束機構３０３及び左拘束機構３０４が取り付け機構３０２の一部である場合等、いくつかの実施形態において、右拘束機構３０３は、左拘束機構３０４の一部とすることができ、その逆も可能である。
【００６１】
さらなる実施形態において、マスク構造体３０１が、右拘束機構３０３によって拘束される場所に近接して左側３１４に向かって且つ右側３１２から離れる方向に扇形に広がるように、且つ／又は、マスク構造体３０１が、左拘束機構３０４によって拘束される場所に近接して右側３１２に向かって且つ左側３１４から離れる方向に扇形に広がるように扇形に広がるように、多重襞３０８を配置することができる。たとえば、マスク構造体３０１は、右拘束機構３０３が右調整機構３０５を含む場合、又は、右調整機構３０５が省略される場合、右拘束機構３０３において左側３１４に向かって且つ右側３１２から離れる方向に扇形に広がることができ、マスク構造体３０１は、左拘束機構３０４が左調整機構３０６を含む場合、又は、左調整機構３０６が省略される場合、左拘束機構３０４において右側３１２に向かって且つ左側３１４から離れる方向に扇形に広がることができる。一方、マスク構造体３０１は、右調整機構３０５が右拘束機構３０３とは別個に実施される場合、右調整機構３０５において且つ右拘束機構３０３に隣接して、左側３１４に向かって且つ右側３１２から離れる方向に扇形に広がることができ、マスク構造体３０１は、左調整機構３０６が左拘束機構３０４とは別個に実施される場合、左調整機構３０６において且つ左拘束機構３０４に隣接して、右側３１２に向かって且つ左側３１４から離れる方向に扇形に広がることができる。
【００６２】
多くの実施形態において、右拘束機構３０３及び左拘束機構３０４を実施し、（ｉ）マスク構造体３０１が、右拘束機構３０３によって拘束される場所に近接して左側３１４に向かって且つ右側３１２から離れる方向に扇形に広がり、（ｉｉ）マスク構造体３０１が、左拘束機構３０４によって拘束される場所に近接して右側３１２に向かって且つ左側３１４から離れる方向に扇形に広がるように、多重襞３０８を配置することにより、マスク構造体３０１は、マスク構造体３０１が、その中心の周囲に概してシンクラスティックであるように湾曲し、対向するベル形状が上側３１１及び下側３１３に向かって延在して、マスク構造体３０１がその中心に、内部に接触面６０９（図６）を有し外部に外面３１０を有するドームを形成するようにすることができる。
【００６３】
多くの実施形態において、（ｉ）右拘束機構３０３及び左拘束機構３０４、並びに／又は（ｉｉ）多重襞３０８を実施することにより、マスク構造体３０１をより高剛性にすることができる。たとえば、多重襞３０８は、マスク構造体３０１の骨組のように機能して、マスク構造体３０１をより高剛性にすることができる。さらに、右拘束機構３０３、左拘束機構３０４及び多重襞３０８は、マスク構造体３０１にドームを形成させて、マスク構造体３０１に加えられる力を、マスク構造体３０１を通して右拘束機構３０３及び左拘束機構３０４まで分散させることができるようにすることにより、マスク構造体３０１をより高剛性にすることができる。
【００６４】
多くの実施形態において、上述したように、レスピレータ３００は取り付け機構３０２を備えることができる。取り付け機構３０２は、マスク構造体３０１に結合することができる。さらに、取り付け機構３０２は、マスク構造体３０１に結合されるとき、たとえば図３に示すように等、使用者の頭部にマスク構造体３０１を結合するように動作可能であり得る。たとえば、取り付け機構３０２は、マスク構造体３０１を使用者の顔面領域に（たとえば、使用者の顔面領域の鼻孔及び／又は口の上に）、いくつかの実施形態では使用者の顎下領域に結合することができる。これらの実施形態又は他の実施形態において、使用者の頭部は、頭部１０１（図１）と同様又は同一とすることができ、使用者の顔面領域は、顔面領域１０２（図１）と同様又は同一とすることができ、使用者の鼻孔は、鼻孔１０５（図１）と同様又は同一とすることができ、使用者の口は、口１０３（図１）と同様又は同一とすることができ、且つ／又は顎下領域は、顎下領域１１５（図１）と同様又は同一とすることができる。より詳細に後述するように、レスピレータ３００は、使用者の顔面領域の鼻孔及び／又は口の上で使用者の顔面領域に結合される場合、使用者が１種又は複数種の規制物質を吸引するのを防止又は制限するように、面体レスピレータとして動作することができる。一方、いくつかの実施形態において、レスピレータ３００は、他の人が、レスピレータ３００の使用者によって吐き出される可能性がある規制物質のうちの１種又は複数種を吸引するのを防止又は制限することができる。いくつかの実施形態において、レスピレータ３００は、１回若しくは複数回再使用可能であり、且つ／又は使い捨てであり得る。
【００６５】
図面を先に進むと、図６は、図３の実施形態によるレスピレータ３００の背面図を示す。上述したように、レスピレータ３００は、接触面６０９、右縁６３２、左縁６３３、上縁６３４及び下縁６３５を有することができる。右縁６３２は、右側３１２に最も近いマスク構造体３０１の縁を指すことができ、左縁６３３は、左側３１１に最も近いマスク構造体３０１の縁を指すことができ、上縁６３４は、上縁３３４に最も近いマスク構造体３０１の縁を指すことができ、下縁６３５は、下側３１３に最も近いマスク構造体３０１の縁を指すことができる。さらに、右縁６３２は、左縁６３３と反対側とすることができ、その逆も可能であり、上縁６３４は下縁６３５と反対側とすることができ、その逆も可能である。
【００６６】
多くの実施形態において、接触領域６０９は、マスク構造体３０１が取り付け機構３０２（図３）によって使用者の頭部に結合されるとき、使用者の頭部に向かって面することができ、外面３１０（図３）は、マスク構造体３０１が取り付け機構３０２（図３）によって使用者の頭部に結合されるとき、使用者の頭部から離れる方向に面することができる。その結果、取り付け機構３０２が、マスク構造体３０１を、使用者の顔面領域の鼻孔及び／又は口の上で使用者の顔面領域に結合するとき、右拘束機構３０３、左拘束機構３０４及び多重襞３０８によってマスク構造体３０１に形成されるドームは、使用者の顔面領域の鼻孔及び／又は口を取り囲み且つ封入することができる。
【００６７】
たとえば、多くの実施形態において、接触面６０９は、マスク構造体３０１が使用者の顔面領域に結合されると、使用者の顔面領域に接触することができる。これらの実施形態又は他の実施形態において、接触面６０９は、マスク構造体３０１が使用者の顎下領域に結合されると使用者の顎下領域と接触することができる。
【００６８】
これらの実施形態又は他の実施形態において、マスク構造体３０１が取り付け機構３０２（図３）によって使用者の顔面領域に結合されると、多重襞３０８（図３）は、接触面６０９を使用者の顔面領域に沿わせる（すなわち、接触面６０９を使用者の顔面領域の皮膚に直接接触するようにする）ことができる。これらの実施形態又は他の実施形態において、マスク構造体３０１が取り付け機構３０２（図３）によって使用者の顎下領域に結合されると、多重襞３０８（図３）は、接触面６０９を使用者の顎下領域に沿わせる（すなわち、接触面６０９を使用者の顎下領域の皮膚に直接接触するようにする）ことができる。たとえば、多重襞３０８（図３）のうちの少なくともいくつかが、マスク構造体３０１の少なくとも一部にオーゼティックに挙動させるように配置される場合、且つ、マスク構造体が、取り付け機構３０２（図３）によって使用者の顔面領域及び／又は顎下領域に結合される場合、取り付け機構３０２（図３）によってマスク構造体３０１に加えられる引張力により、接触面６０９を、マスク構造体３０１のオーゼティック挙動の結果として使用者の顔面領域及び／又は顎下領域に接触させることができる。
【００６９】
一方、接触面６０９を使用者の顔面領域に、適用可能な場合は使用者の顎下領域に沿わせることにより、多重襞３０８（図３）によって、接触面６０９が、顔面領域と、適用可能な場合は使用者の顎下領域と、使用者の顔面領域の鼻孔及び／又は口の周囲に部分的に又は完全に機械的シールを形成することができる。たとえば、いくつかの実施形態において、マスク構造体３０１が取り付け機構３０２（図３）によって使用者の顔面領域に結合されると、多重襞３０８（図３）は、接触面６０９を使用者の顔面領域に、少なくとも使用者の鼻骨、上顎骨及び／又は下顎骨の上で沿わせ、それにより接触面６０９を機械的に封止することができる。これらの実施形態又は他の実施形態において、マスク構造体３０１が取り付け機構３０２によって使用者の顔面領域に結合されると、多重襞３０８（図３）は、接触面６０９を使用者の顔面領域に、使用者の上顎骨の右前頭突起及び上顎骨の左前頭突起の上で沿わせ、それにより接触面６０９を機械的に封止することができる。さらなる実施形態において、マスク構造体３０１が取り付け機構３０２によって使用者の顔面領域に結合されると、多重襞３０８（図３）は、接触面６０９を使用者の顔面領域に、使用者の右顎骨及び／又は左顎骨の上で沿わせ、それにより接触面６０９を機械的に封止することができる。さらなる実施形態において、マスク構造体３０１が取り付け機構３０２によって使用者の顎下領域に結合されると、多重襞３０８（図３）は、接触面６０９を使用者の顎下領域に沿わせ、それにより接触面６０９を機械的に封止することができる。多くの実施形態において、鼻骨は、鼻骨２０７（図２）と同様又は同一とすることができ、上顎骨は、上顎骨２０８（図２）と同様又は同一とすることができ、下顎骨は、下顎骨２１１（図２）と同様又は同一とすることができ、使用者の上顎骨の右前頭突起は、右前頭突起２１２（図２）と同様又は同一とすることができ、使用者の上顎骨の左前頭突起は、左前頭突起２１３（図２）と同様又は同一とすることができ、使用者の右顎骨は、右顎骨２０９（図２）と同様又は同一とすることができ、使用者の左顎骨は、左顎骨２１０（図２）と同様又は同一とすることができる。
【００７０】
多くの実施形態において、レスピレータ３００は、使用者及び／又は１人若しくは複数の他の人が、接触面６０９が使用者の顔面領域と、適用可能な場合は使用者の顎下領域と形成することができる機械的シールの結果として、１種又は複数種の規制物質を吸引するのをより適切に防止又は制限することができる。たとえば、接触面６０９が、使用者の上顎骨の右前頭突起及び左前頭突起の上で使用者の顔面領域に沿い且つその顔面領域と機械的シールを形成することができるため、接触面６０９は、上顎骨の右前頭突起及び左前頭突起と接触することなく鼻骨から上顎骨まで下方に広がる可能性がある従来のレスピレータから区別されるように、使用者の鼻の鼻梁の周囲に機械的シールを形成することができる。一方、接触面６０９が、使用者の顎下領域に沿い且つ顎下領域と機械的シールを形成することができるため、レスピレータ３００は、レスピレータ３００が使用者の顎先の下方に延在する場合であっても、使用者の顔面領域の鼻孔及び／又は口の周囲に機械的シールを形成することができる。顎先は、顎先１１４（図１）と同様又は同一であり得る。又、多重襞３０８（図３）が接触面６０９を使用者の顔面領域に、適用可能な場合は、使用者の顎下領域に接触させるため、接触面６０９が使用者の顔面領域と、適用可能な場合は使用者の顎下領域と形成することができる機械的シールは、たとえば、使用者の顎の動きからもたらされる等、顔面領域及び／又は顎下領域の輪郭の変化に適合することができる。
【００７１】
さらに、上述したように、多重襞３０８を備える、且つ／又は、右拘束機構３０３、左拘束機構３０４及び多重襞３０８によりマスク構造体３０１にドームが形成されるような、レスピレータ３００を実施することにより、マスク構造体３０１の有効部分を有利に増大させることができる。マスク構造体３０１の有効部分は、取り付け機構３０２がマスク構造体３０１を使用者の顔面に使用者の顔面領域の鼻孔及び／又は口の上で結合しているときに、使用者が酸素又は空気を受け取ることができるマスク構造体３０１の一部を指すことができる。たとえば、多くの実施形態において、マスク構造体３０１の有効部分は、接触面６０９（図６）が使用者の顔面領域と、いくつかの実施形態では使用者の顎下領域と形成する機械的シールの内側に、マスク構造体３０１の一部を含むことができる。マスク構造体３０１の有効部分を増大させることにより、レスピレータ３００を通して酸素又は空気を吸入しているときに使用者に対する呼吸抵抗を低減させることができ、それにより、レスピレータ３００を使用しているときの使用者に対する快適さが増大する。又、マスク構造体３０１の有効部分を増大させることにより、より大きいろ過能力（すなわち、より高いろ過効率）を有するが又、レスピレータ３００を通して酸素又は空気を吸入しているときの使用者に対してより高い呼吸抵抗も有する、ろ過層４１５（図４）のろ過材の実施を可能にすることができる。さらに、マスク構造体３０１の有効部分を増大させることにより、マスク構造体３０１の増大した有効部分にろ過される規制物質が完全に埋め込まれるまでより多くの時間がかかるため、レスピレータ３００の寿命を延長することができる。
【００７２】
これらの実施形態又は他の実施形態において、マスク構造体３０１の有効部分は、外面３１０において有効部分外面領域を含むことができる。多くの実施形態において、有効部分外面領域は、約１０３．２平方センチメートル以上であり得る。
【００７３】
さらに、レスピレータ３００は、レスピレータ効率を有することができる。多くの実施形態において、上述したように、多重襞３０８を備えるように、且つ／又は、右拘束機構３０３、左拘束機構３０４及び多重襞３０８によりマスク構造体３０１にドームが形成されるように、レスピレータ３００を実施することにより、レスピレータ３００のレスピレータ効率を有利に向上させることができる。たとえば、いくつかの実施形態において、レスピレータ３００のレスピレータ効率は、約１／５０、１／５５、１／６０又は１／６５以上であり得る。
【００７４】
さらに、いくつかの実施形態において、上述したように、多重襞３０８を備える、且つ／又は、右拘束機構３０３、左拘束機構３０４及び多重襞３０８によりマスク構造体３０１にドームが形成されるような、レスピレータ３００を実施することにより、接触面６０９（図６）とレスピレータ３００を使用しているときの使用者の顔面領域の鼻孔及び／又は口との間に分離を有利に維持することができる。結果として、接触面６０９（図６）の汚染を低減させることができ、使用者が、レスピレータ３００を使用しているときにより容易に話すことができる。
【００７５】
又、いくつかの実施形態において、上述したように、多重襞３０８を備えるように、且つ／又は、右拘束機構３０３、左拘束機構３０４及び多重襞３０８によりマスク構造体３０１にドームが形成されるように、レスピレータ３００を実施することにより、レスピレータ３００が接触面６０９（図６）にガスケットなしに実施されることを有利に可能にすることができる。たとえば、これらの実施形態において、接触面６０９（図６）が、使用者の顔面領域の鼻孔及び／又は口の周囲で、顔面領域と適用可能な場合は使用者の顎下領域と形成する機械的シールにより、ガスケットを不要にすることができる。一方、接触面６０９（図６）からガスケットを省略することができるため、レスピレータ３００は、使用者に対してより快適なものとなり得る。
【００７６】
多くの実施形態において、接触面６０９が、使用者の顔面領域の鼻孔及び／又は口の周囲で、顔面領域と適用可能な場合は使用者の顎下領域と形成する機械的シールは、機械的シール形状を有することができる。たとえば、機械的シール形状は、楕円形状、卵形湾曲形状又は洋ナシ形湾曲形状のうちの一部又はすべてを含むことができる。
【００７７】
いくつかの実施形態において、接触層４２１（図４）が実施される場合、第１接触層面４２２（図４）において湿気を吸い出すために毛管作用を提供するように接触層４２１（図４）を構成し、又は、接触層４２１（図４）が省略される場合、第１ろ過層面４１６（図４）において湿気を吸い出すために毛管作用を提供するようにろ過層４１５（図４）を構成することにより、マスク構造体３０１は、マスク構造体３０１が使用者の顔面領域及び／又は顎下領域に結合され、接触面６０９が使用者の顔面領域及び／又は顎下領域に接触しているとき、使用者の顔面領域及び／又は顎下領域から湿気を引き出すことができる。さらなる実施形態において、接触層４２１（図４）が実施される場合、接触層４２１（図４）は、たとえば、マスク構造体３０１が使用者の顔面領域及び／又は顎下領域に結合されると、ろ過層４１５（図４）と使用者の顔面領域及び／又は顎下領域との間の緩衝物として作用することができる等のため、スクリム層と呼ぶことができる。これらの実施形態又は他の実施形態において、接触層４２１（図４）は、使用者の顔面領域及び／又は顎下領域と、ろ過層４１５（図４）より快適にインタフェースするように構成することができる。
【００７８】
多くの実施形態において、右縁６３２及び／又は左縁６３３の少なくとも一部を波形にする（ｓｃａｌｌｏｐ）ことができる。たとえば、右縁６３２及び／又は左縁６３３の一部又はすべてを波形にすることにより、本来は、右拘束機構３０３（図３）及び／又は左拘束機構３０４（図３）によりマスク構造体３０１を拘束する結果として右縁６３２及び／又は左縁６３３において形成される可能性がある鋭利な角を、減少させるか又はなくすことができ、それにより、マスク構造体３０１が、取り付け機構３０２（図３）により使用者の顔面領域に結合されるとき、右側３１２（図３）及び／又は左側３１４（図３）において使用者の顔面領域内に食い込むのを防止する。結果として、右縁６３２及び／又は左縁６３３を波形にすることにより、レスピレータ３００を使用しているときの使用者の快適さを向上させることができる。
【００７９】
ここで図３に戻ると、多くの実施形態において、上述したように、レスピレータ３００は、可鍛性バンド３２５を備えることができる。可鍛性バンド３２５は、マスク構造体３０１に結合し且つ／又はマスク構造体３０１内に埋め込むことができ、使用者が、接触面６０９を使用者の顔面領域に、適用可能な場合は使用者の顎下領域にさらに沿わせるように動作可能に曲げることができる。実施において、可鍛性バンド３２５は、１つ又は複数の可撓性金属バンドを含むことができる。これらの実施形態又は他の実施形態において、可鍛性バンド３２５は、使用者の顔面領域の鼻の上に配置することができる鼻可鍛性バンド３３１を含むことができる。鼻可鍛性バンド３３１は、使用者が、接触面６０９（図６）を使用者の顔面領域に、使用者の鼻骨、上顎骨の右前頭突起、及び上顎骨の左前頭突起の上でさらに沿わせるように動作可能に曲げることができる。いくつかの実施形態において、鼻可鍛性バンド３３１は鼻クリップと呼ぶことができる。しかしながら、他の実施形態では、レスピレータ３００に可鍛性バンド３２５（たとえば、鼻可鍛性バンド３３１）がまったくないものとすることができる。たとえば、接触面６０９が、鼻可鍛性バンド３３１なしに、使用者の上顎骨の右前頭突起及び左前頭突起の上で使用者の顔面領域に沿い、且つ顔面領域と機械的シールを形成することができるため、鼻可鍛性バンド３３１を省略することができる。レスピレータ３００から可鍛性バンド３２５を省略することができるため、レスピレータ３００をより軽量であり且つより使用が快適なものとすることができる。
【００８０】
多くの実施形態において、上述したように、レスピレータ３００は、呼気弁３２６を備えることができる。呼気弁３２６は、層３０７のうちの１つ又は複数を通過する１つ又は複数の一方向弁を備えることができる。呼気弁３２６は、取り付け機構３０２がマスク構造体３０１を使用者の顔面領域に使用者の顔面領域の鼻孔及び／又は口の上で結合しているとき、呼気弁３２６を通して使用者によって吐き出される１種又は複数種のガスを導くことができる。結果として、呼気弁３２６は、使用者が次の呼吸を吸入するとき、使用者によって吐き出される１種又は複数種のガスの存在を最小限にすることができる。
【００８１】
いくつかの実施形態において、呼気弁３２６は、接触面６０９（図６）における入力部と外面３１０における出口部とを有することができる。さらなる実施形態において、呼気弁３２６の入力部のうちの１つ又は複数は、たとえば、図６に示すように等、マスク構造体３０１に埋め込み、ろ過層第１面４１６又は支持層第１面４１９に配置することができる。一方、これらの実施形態又は他の実施形態において、呼気弁３２６の出力部のうちの１つ又は複数は、マスク構造体３０１に埋め込み、ろ過層第２面４１７又は接触層第２面４２３に配置することができる。
【００８２】
実施において、呼気弁３２６は、１つ若しくは複数のフラッパ弁及び／又は１つ若しくは複数のバタフライ弁を含むことができる。いくつかの実施形態において、呼気弁３２６は、マスク構造体３０１にリベット留めし、溶接し、且つ／又は接着することができる。
【００８３】
他の実施形態では、呼気弁３２６を省略することができる。たとえば、さまざまな実施形態において、上述したように、レスピレータ３００の有効部分が増大するため、使用者によって吐き出される１種又は複数種のガスはより容易にレスピレータ３００を出ることができ、呼気弁３２６の必要性を低下させることができる。
【００８４】
多くの実施形態において、多重襞３０８により、マスク構造体３０１は加えられる圧力下でつぶれることができる。マスク構造体３０１をつぶすことにより、レスピレータ３００を収縮包装で密に包装することができ、小売店の棚で占めるスペースが小さくなる。一方、右拘束機構３０３及び／又は左拘束機構３０４によってマスク構造体３０１に加えられる張力により、その加えられる圧力（たとえば、包装）が取り除かれたときにマスク構造体３０１が自己拡張することができる。マスク構造体３０１自体が拡張する際のばね力は、ろ過層４１５（図４）のろ過層厚さに対する、適用可能な場合は、支持層４１８（図４）の接触層厚さ及び／又は接触層４２１（図４）の接触層厚さに対する多重襞３０８の折目の１つの幅又は複数の幅によって決まり得る。マスク構造体３０１自体が拡張する際のばね力は、多重襞３０８の折目の幅がろ過層４１５（図４）のろ過層厚さに対して、適用可能な場合は、支持層４１８（図４）の支持層厚さ及び／又は接触層４２１（図４）の接触層厚さに対して低減するに従い、増大する。一方、マスク構造体３０１自体が拡張する際のばね力は、多重襞３０８の折目の幅がろ過層４１５（図４）のろ過層厚さに対して、適用可能な場合は、支持層４１８（図４）の支持層厚さ及び／又は接触層４２１（図４）の接触層厚さに対して増大するに従い、低減する。
【００８５】
さらに、これらの実施形態又は他の実施形態において、多重襞３０８により、マスク構造体３０１を（たとえば半分に）折り畳んで、接触面６０９（図６）をそれ自体に接触させることができる。たとえば、いくつかの実施形態において、多重襞３０８により、マスク構造体３０１は、マスク構造体３０１の中心点に原点を有するデカルト座標系のｙ軸を中心に（たとえば半分に）折り畳むことができる。結果として、レスピレータ３００が使用されていないとき、接触面６０９（図６）を汚染から保護することができ、それにより、レスピレータ３００が使用されているとき、使用者に対してレスピレータ３００をより衛生的にすることができる。一方、多重襞３０８によってマスク構造体３０１を（たとえば半分に）折り畳み、接触面６０９（図６）をそれ自体に接触させることができるため、保管の目的でレスピレータ３００をより小型にすることができる。
【００８６】
いくつかの実施形態において、右拘束機構３０３及び／又は左拘束機構３０４は、マスク構造体３０１が（たとえば半分に）折り畳まれて接触面６０９（図６）をそれ自体に接触させるのを容易にすることができる。たとえば、右拘束機構３０３は、マスク構造体３０１を右側３１２に近接して拘束してマスク構造体３０１が合わせて右側３１２に近接するようにすることにより、左拘束機構３０４は、マスク構造体３０１を左側３１４に近接して拘束してマスク構造体３０１が合わせて左側３１４に近接するようにすることにより、マスク構造体３０１に、マスク構造体３０１の中心点に原点を有するデカルト座標系のｙ軸に対しておよそ垂直に力が加えられたときに、マスク構造体３０１を（たとえば半分の）折り畳み形態に誘導するのに役立つことができ、その結果、接触面６０９は、合わせて滑らかに且つ一貫してｙ軸を中心とする。
【００８７】
さらなる実施形態において、マスク構造体３０１が（たとえば半分に）折り畳まれて接触面６０９（図６）をそれ自体に接触させると、取り付け機構３０２をマスク構造体３０１の周囲に巻き付けて、マスク構造体３０１を（たとえば半分の）折り畳み形態で保持することができる。これらの実施形態又は他の実施形態において、マスク構造体３０１が（たとえば半分に）折り畳まれて接触面６０９（図６）をそれ自体に接触させると、マスク構造体３０１は、たとえば磁石式留め金等の留め金によって（たとえば半分の）折り畳み形態で保持することができる。これらの実施形態において、レスピレータ３００及び／又はマスク構造体３０１は、留め金を備えることができる。いくつかの実施形態において、留め金は、レスピレータ３００及び／又はマスク構造体３０１に永久的に結合し、（たとえば半分の）折り畳み形態でマスク構造体３０１を保持するように動作可能とすることができる。他の実施形態では、留め金は、マスク構造体３０１を（たとえば半分の）折り畳み形態で保持するように、レスピレータ３００及び／又はマスク構造体３０１に取外し可能に結合することができる。
【００８８】
たとえば、支持層４１８（図４）が実施される場合等、多くの実施形態において、外面３１０に色及び／又はデザインを印刷することができる。外面３１０に色及び／又はデザインを印刷することにより、レスピレータ３００を使用者に対してより審美的に満足なものとすることができる。
【００８９】
多くの実施形態において、上述したように、マスク構造体３０１は、右調整機構３０５及び／又は左調整機構３０６を備えることができる。右調整機構３０５及び／又は左調整機構３０６は、マスク構造体３０１が取り付け機構３０２によって使用者の顔面領域に結合されると、接触面６０９（図６）において接触面６０９（図６）が使用者の顔面領域と接触する場所を制御するように動作可能であり得る。これらの実施形態又は他の実施形態において、右調整機構３０５及び／又は左調整機構３０６は、マスク構造体３０１が取り付け機構３０２によって使用者の顔面領域に結合されると、接触面６０９（図６）において、その接触面６０９（図６）が使用者の顎下領域と接触する場所を制御するように動作可能であり得る。言い換えれば、右調整機構３０５及び／又は左調整機構３０６は、接触面６０９（図６）が使用者の顔面領域の鼻孔及び／又は口の周囲で、顔面領域と適用可能な場合は使用者の顎下領域と形成する機械的シールのサイズを調整するように動作可能であり得る。結果として、右調整機構３０５及び／又は左調整機構３０６は、使用者に対してレスピレータ３００のフィットを調整することができる。
【００９０】
いくつかの実施形態において、右調整機構３０５及び／又は左調整機構３０６は、マスク構造体３０１が使用者の顔面領域に、適用可能な場合は使用者の顎下領域に結合されると、接触面６０９（図６）において、その接触面６０９（図６）が使用者の顔面領域と、適用可能な場合は使用者の顎下領域と接触する場所を制御するように、外面３１０に沿って再配置される（たとえば摺動する）ように動作可能であり得る。たとえば、さまざまな実施形態において、右調整機構３０５及び／又は左調整機構３０６は、マスク構造体３０１の中心に向かって又は中心から離れる方向に外面３１０に沿って再配置する（たとえば摺動させる）ことができる。右調整機構３０５及び／又は左調整機構３０６をマスク構造体３０６の中心に向かって再配置する（たとえば摺動させる）ことにより、右拘束機構３０３、左拘束機構３０４及び多重襞３０８によりマスク構造体３０１にドームを形成する対向するベル形状の曲率を低減させ、それにより、ドームのサイズを増大させることができる。一方、右調整機構３０５及び／又は左調整機構３０６をマスク構造体３０６の中心から離れるように再配置する（たとえば摺動させる）ことにより、右拘束機構３０３、左拘束機構３０４及び多重襞３０８によりマスク構造体３０１にドームを形成する対向するベル形状の曲率を増大させ、それにより、ドームのサイズを低減させることができる。
【００９１】
実施において、右調整機構３０５は、マスク構造体３０１が使用者の顔面領域に、適用可能な場合は使用者の顎下領域に結合されると、接触面６０９（図６）において接触面６０９（図６）が使用者の顔面領域と、適用可能な場合は使用者の顎下領域と接触する場所を制御することができる任意の好適な機構を備えることができ、左拘束機構３０４は、マスク構造体３０１が使用者の顔面領域に、適用可能な場合は使用者の顎下領域に結合されると、接触面６０９（図６）において接触面６０９（図６）が使用者の顔面領域と、適用可能な場合は使用者の顎下領域と接触する場所を制御することができる任意の好適な機構を備えることができる。たとえば、いくつかの実施形態において、右調整機構３０３は、右側３１２に近接してマスク構造体３０１の周囲に巻き付けられるストラップ、バンド又は糸を備えることができる。他の実施形態では、右調整機構３０３は、右側３１２に近接してマスク構造体３０１に取り付けられるクリップ又はクランプを備えることができる。ストラップ、バンド、糸、クリップ又はクランプは、マスク構造体３０１が取り付け機構３０２によって使用者の顔面領域に結合されると、接触面６０９（図６）において接触面６０９（図６）が使用者の顔面領域と接触する場所を制御するように、外面３１０に沿って再配置されるように構成することができる。一方、左調整機構３０６は、右調整機構３０５と同様又は同一であり得るが、右側３１２ではなく左側３１４に関する。
【００９２】
たとえば、右調整機構３０５及び左調整機構３０６が取り付け機構３０２の一部である場合等、いくつかの実施形態において、右調整機構３０５は左調整機構３０６の一部とすることができ、その逆も可能である。これらの実施形態又は他の実施形態において、右拘束機構３０３は、右調整機構３０５の一部とすることができ、且つ／又は、左拘束機構３０４は左調整機構３０６の一部とすることができる。他の実施形態では、右調整機構３０５は右拘束機構３０３とは別個とすることができ、且つ／又は、左調整機構３０６は左拘束機構３０４とは別個とすることができる。右調整機構３０５が右拘束機構３０３とは別個である場合、右調整機構３０５は、右拘束機構３０３とマスク構造体３０１の中心との間に、多くの実施形態では、マスク構造体３０１の中心より右拘束機構３０３寄りに配置することができる。一方、左調整機構３０６が左拘束機構３０４とは別個である場合、左調整機構３０６は、左拘束機構３０４とマスク構造体３０１の中心との間に、多くの実施形態では、マスク構造体３０１の中心より左拘束機構３０４寄りに配置することができる。
【００９３】
図面を先に進むと、図７は、図３の実施形態による、右調整機構止め具３２７を含むレスピレータ３００の右側面図を示す。多くの実施形態において、上述したように、レスピレータ３００は、右調整機構止め具３２７及び／又は左調整機構止め具３２８（図３）を備えることができる。右調整機構止め具３２７は、右調整機構３０５が実施される場合に実施することができ、左調整機構止め具３２８（図３）は、左調整機構３０６（図３）が実施されるときに実施することができる。
【００９４】
右調整機構止め具３２７は、右調整機構３０５が動作可能に再配置されるように構成される、外面３１０に沿ったさまざまな異なる位置で、右調整機構３０５を固定して保持するように構成された１つ又は複数の機構を備えることができる。右調整機構止め具３２７の各右調整機構止め具は、異なる時点で右調整機構３０５を受け入れることができ、右調整機構３０５を再配置することが望ましくなるまで、右調整機構３０５を固定して保持することができる。実施において、右調整止め具３２７は、マスク構造体３０１に形成された１つ又は複数の切欠き又はくぼみを備えることができる。多くの実施形態において、左調整止め具３２８は、右調整止め具３２７と同様又は同一であり得るが、左調整機構３０６（図３）に関する。他の実施形態では、右調整機構止め具３２７及び／又は左調整機構止め具３２８を省略することができる。
【００９５】
再び図３を参照すると、取り付け機構３０２は、マスク構造体３０１に結合されるように構成され、且つ、使用者の頭部（たとえば、顔面領域及び／又は顎下領域）にマスク構造体３０１を結合するように構成された、任意の好適な機構を含むことができる。たとえば、取り付け機構３０２は、マスク構造体３０１に結合されるように構成され、且つ、マスク構造体３０１を使用者の頭部（たとえば、顔面領域及び／又は顎下領域）に結合するように構成された、ハーネスを含むことができる。いくつかの実施形態において、取り付け機構３０２及び／又は取り付け機構３０２のハーネスは、マスク構造体３０１に結合されるように構成され、且つマスク構造体３０１を使用者の頭部（たとえば、顔面領域及び／又は顎下領域）に結合するように構成された、１本若しくは複数本のストラップ、１本若しくは複数本のバンド、及び／又は１本若しくは複数本の糸を備えることができる。さらに、ストラップ、バンド及び／又は糸は弾性があり得る。
【００９６】
多くの実施形態において、取り付け機構３０２がマスク構造体３０１を使用者の頭部（たとえば、顔面領域及び／又は顎下領域）に結合する緊密度を調整することができる。取り付け機構３０２がマスク構造体３０１を使用者の頭部（たとえば、顔面領域及び／又は顎下領域）に結合する緊密度を調整することにより、接触面６０９（図６）が使用者の顔面領域と、適用可能な場合は使用者の顎下領域と機械的シールを形成する圧力を調整することができる。
【００９７】
取り付け機構３０２は、たとえば、超音波接合、ステープル留め、接着又は縫合等、任意の好適な方法でマスク構造体３０１に結合することができる。これらの実施形態又は他の実施形態において、取り付け機構３０２は、取り付け機構３０２をマスク構造体３０１に結合するために、マスク構造体３０１（たとえば、層３０７）に形成された１つ若しくは複数の開口部（たとえば複数の開口部）又は開口部の１つ若しくは複数の組（たとえば、開口部の複数の組）にねじ込むことができ、又はそこを通過することができる。いくつかの実施形態において、取り付け機構３０２が、取り付け機構３０２をマスク構造体３０１に結合するために、マスク構造体３０１（たとえば、層３０７）に形成された１つ若しくは複数の開口部（たとえば複数の開口部）又は開口部の１つ若しくは複数の組（たとえば、開口部の複数の組）にねじ込まれるか又はそこを通過する場合、開口部又は開口部の組は、取り付け機構３０２が開口部又は開口部の組にねじ込まれるか又はそこを通過する前に形成することができる。他の実施形態では、取り付け機構３０２が、取り付け機構３０２をマスク構造体３０１に結合するために、マスク構造体３０１（たとえば、層３０７）に形成された１つ若しくは複数の開口部（たとえば複数の開口部）又は開口部の１つ若しくは複数の組（たとえば、開口部の複数の組）にねじ込まれるか又はそこを通過する場合、開口部又は開口部の組は、取り付け機構３０２がマスク構造体３０１にねじ込まれるか又はそこを通過する結果として形成することができる。
【００９８】
多くの実施形態において、取り付け機構３０２は、右側３１２に近接して（たとえば、マスク構造体３０１の中心より右側３１２寄りに）、且つ左側３１１に近接して（たとえば、マスク構造体３０１の中心より左側３１１寄りに）マスク構造体３０１に結合することができる。たとえば、いくつかの実施形態において、取り付け機構３０２が、取り付け機構３０２をマスク構造体３０１に結合するためにマスク構造体３０１（たとえば層３０７）に形成された開口部の１つ又は複数の組（たとえば、開口部の複数の組）にねじ込まれるか又はそこを通過する場合、取り付け機構３０２は、右側３１２に近接して（たとえば、マスク構造体３０１の中心より右側３１２寄りに）配置された開口部の第１の組及び左側３１１に近接して（たとえば、マスク構造体３０１の中心より左側３１１寄りに）配置された開口部の第２の組にねじ込むことができ、又はそこを通過することができる。さらなる実施形態において、取り付け機構３０２は又、右側３１２に近接して配置された開口部の第１組とマスク構造体３０１の中心との間に配置された開口部の１つ又は複数の組（たとえば、２つの組、３つの組等）にねじ込むことができ、若しくはそこを通過することができ、且つ／又は、左側３１１に近接して配置された開口部の第２組とマスク構造体３０１の中心との間に配置された開口部の１つ又は複数の組（たとえば、２つの組、３つの組等）にも又、ねじ込むことができ、又はそこを通過することができる。いくつかの実施形態において、右側３１２に近接して配置された開口部の第１組とマスク構造体３０１の中心との間に配置された開口部の組が、開口部の複数の組を含む場合、開口部の複数の組は、徐々に右側３１２から離れて且つマスク構造体３０１の中心寄りに配置することができる。これらの実施形態又は他の実施形態において、左側３１１に近接して配置された開口部の第２組とマスク構造体３０１の中心との間に配置された開口部の組が、開口部の複数の組を含む場合、開口部の複数の組は、徐々に左側３１１から離れて且つマスク構造体３０１の中心寄りに配置することができる。
【００９９】
いくつかの実施形態において、取り付け機構３０２が、取り付け機構３０２をマスク構造体３０１に結合するためにマスク構造体３０１（たとえば層３０７）に形成された開口部の１つ又は複数の組（たとえば、開口部の複数の組）にねじ込まれるか又はそこを通過する場合、開口部の１つ又は複数の組の特定の組における開口部の各々は、マスク構造体３０１（たとえば層３０７）内で、多重襞３０８のうちの少なくとも１つの襞（たとえば、少なくとも１つの水平襞）によって特定の組の他の開口部各々から分離することができる。取り付け機構３０２が、右側３１２に近接して配置された開口部の第１組にねじ込まれるか又はそこを通過する場合、マスク構造体３０１（たとえば層３０７）内で、開口部の組の開口部を多重襞３０８のうちの少なくとも１つの襞（たとえば、少なくとも１つの水平襞）によって分離することにより、取り付け機構３０２は、マスク構造体３０１を右側３１２に近接して（たとえば、マスク構造体３０１の中心より右側３１２寄りに）合わせて拘束し、取り付け機構３０２が右側３１２に近接して配置された開口部の第１組にねじ込まれるか又はそこを通過する結果として、マスク構造体３０１を合わせて右側３１２に近接するようにすることができる。これらの実施形態又は他の実施形態において、取り付け機構３０２が、左側３１１に近接して配置された開口部の第２組にねじ込まれるか又はそこを通過する場合、マスク構造体３０１（たとえば層３０７）内で、開口部の組の開口部を多重襞３０８のうちの少なくとも１つの襞（たとえば、少なくとも１つの水平襞）によって分離することにより、取り付け機構３０２は、マスク構造体３０１を左側３１１に近接して（たとえば、マスク構造体３０１の中心より左側３１１寄りに）合わせて拘束し、取り付け機構３０２が左側３１１に近接して配置された開口部の第２組にねじ込まれるか又はそこを通過する結果として、マスク構造体３０１を合わせて左側３１１に近接するようにすることができる。したがって、いくつかの実施形態において、取り付け機構３０２は、右拘束機構３０３及び／又は左拘束機構３０４を含み、又は右拘束機構３０３及び／又は左拘束機構３０４として動作することができる。
【０１００】
さらに、いくつかの実施形態において、取り付け機構３０２が、取り付け機構３０２をマスク構造体３０１に結合するためにマスク構造体３０１（たとえば層３０７）に形成された開口部の１つ又は複数の組（たとえば、開口部の複数の組）にねじ込まれるか又はそこを通過する場合、取り付け機構３０２は、複数回、開口部の組のうちの１つ又は複数にねじ込むことができ、又はそこを通過することができる。たとえば、いくつかの実施形態において、取り付け機構３０２が右側３１２に近接して配置された開口部の第１組にねじ込まれるか又はそこを通過する場合、取り付け機構３０２は、複数回、右側３１２に近接して配置された開口部の第１組にねじ込むことができ、又はそこを通過することができる。これらの実施形態のうちのいくつかにおいて、複数回右側３１２に近接して配置された開口部の第１組にねじ込まれるか又はそこを通過する際、取り付け機構３０２は、マスク構造体３０１を使用者の頭部（たとえば、顔面領域及び／又は顎下領域）に結合するために、使用者の右耳の周囲に固定することができるループを形成することができる。これらの実施形態又は他の実施形態において、取り付け機構３０２が左側３１１に近接して配置された開口部の第２組にねじ込まれるか又はそこを通過する場合、取り付け機構３０２は、左側３１１に近接して配置された開口部の第２組にねじ込むことができ、又はそこを通過することができる。これらの実施形態のうちのいくつかにおいて、複数回左側３１１に近接して配置された開口部の第２組にねじ込まれるか又はそこを通過する際、取り付け機構３０２は、マスク構造体３０１を使用者の頭部（たとえば、顔面領域及び／又は顎下領域）に結合するために、使用者の左耳の周囲に固定することができるループを形成することができる。
【０１０１】
いくつかの実施形態において、取り付け機構３０２が、取り付け機構３０２をマスク構造体３０１に結合するためにマスク構造体３０１（たとえば層３０７）に形成された開口部の１つ又は複数の組（たとえば、開口部の複数の組）にねじ込まれるか又はそこを通過する場合、開口部の組のうちの少なくとも１つを通して使用者が（たとえば、前方に又は後方に）取り付け機構３０２を引っ張ることができる。
【０１０２】
たとえば、いくつかの実施形態において、開口部の組のうちの少なくとも１つを通して取り付け機構３０２を引っ張ることにより、多重襞３０８の面を合わせてより近くに又はさらに離れるように移動させることによって、接触面６０９（図６）において接触面６０９（図６）が使用者の顔面領域及び／又は顎下領域と接触する場所を制御することができる。結果として、開口部の組のうちの少なくとも１つを通して取り付け機構３０２を引っ張ることにより、使用者の顔面領域及び／又は顎下領域においてレスピレータ３００のフィットを調整することができる。したがって、いくつかの実施形態において、取り付け機構３０２は、右調整機構３０５及び／又は左調整機構３０６を含むか、又は右調整機構３０５及び／又は左調整機構３０６として動作することができる。
【０１０３】
これらの実施形態又は他の実施形態において、開口部の組のうちの少なくとも１つを通して取り付け機構３０２を引っ張ることにより、マスク構造体３０１を使用者の顔面領域及び／又は顎下領域に向かって引くことにより、取り付け機構３０２がマスク構造体３０１を使用者の顔面領域及び／又は顎下領域に結合する緊密度を調整することができる。
【０１０４】
いくつかの実施形態において、取り付け機構３０２が、取り付け機構３０２をマスク構造体３０１に結合するためにマスク構造体３０１（たとえば層３０７）に形成された開口部の１つ又は複数の組（たとえば、開口部の複数の組）にねじ込まれるか又はそこを通過する場合、且つ、取り付け機構３０２が、開口部の組のうちの少なくとも１つを通して使用者によって（たとえば、前方に又は後方に）引っ張られるように構成されている場合、取り付け機構３０２は、少なくとも一方向において、取り付け機構３０２が開口部の組のうちの少なくとも１つから引き出されるのを防止するように構成された１つ又は複数の停止機構を備えることができる。停止機構が、少なくとも一方向において、取り付け機構３０２が開口部の組のうちの少なくとも１つから引き出されるのを防止するように構成された任意の好適な１つの機構又は複数の機構を備えることができるが、多くの実施形態において、停止機構は、取り付け機構３０２に結び付けられた１つ又は複数の結び目を備えることができる。たとえば、結び目は、結び目が開口部の組のうちの少なくとも１つを通して移動するのを防止するために十分大きくすることができ、それにより、取り付け機構３０２が、少なくとも一方向において、開口部の組のうちの少なくとも１つから引き出されるのを防止することができる。さらに、開口部の組の両側で停止機構を実施することにより、いずれの方向においても、取り付け機構３０２が開口部の組から引き出されるのを防止することができる。
【０１０５】
多くの実施形態において、取り付け機構３０２は、１つの連続した部品であり得る。たとえば、いくつかの実施形態において、取り付け機構３０２は、１つの連続したバンド、ストラップ又は糸であり得る。しかしながら、他の実施形態では、取り付け機構３０２は、複数の別個の部品を含むことができる。たとえば、いくつかの実施形態において、取り付け機構３０２の第１部分（たとえば、第１ストラップ、バンド又は糸）は、マスク構造体３０１を右側３１２に近接して（たとえば、マスク構造体３０１の中心より右側３１２寄りに）結合することができ、取り付け機構３０２の第２部分（たとえば、第２ストラップ、バンド又は糸）は、マスク構造体３０１を左側３１１に近接して（たとえば、マスク構造体３０１の中心より左側３１１寄りに）結合することができる。さまざまな実施形態において、取り付け機構３０２の第１部分は、取り付け機構３０２の第２部分とは別個であり得る。さらなる実施形態において、取り付け機構３０２が、右側３１２に近接して（たとえば、マスク構造体３０１の中心より右側３１２寄りに）配置された開口部の第１組に、且つ左側３１１に近接して（たとえば、マスク構造体３０１の中心より左側３１１寄りに）配置された開口部の第２組に、ねじ込まれるか又はそこを通過する場合、取り付け機構３０２の第１部分は、右側３１２に近接して配置された開口部の第１組にねじ込むことができ、又はそこを通過することができ、取り付け機構３０２の第２部分は、左側３１１に近接して配置された開口部の第２組にねじ込むことができ、又はそこを通過することができる。これらの実施形態のうちのいくつかにおいて、取り付け機構３０２の第１部分は、右側３１２に近接して配置された開口部の第２組にねじ込まれず且つそこを通過せず、且つ／又は、取り付け機構３０２の第２部分は、右側３１２に近接して配置された開口部の第１組右側３１２に近接して配置された開口部の第１組にねじ込まれず且つそこを通過しない。さらに、取り付け機構３０２が、右側３１２に近接して配置された開口部の第１組とマスク構造体３０１の中心との間に配置された開口部の１つ又は複数の組（たとえば、２つの組、３つの組等）にねじ込まれるか又はそこを通過する場合、且つ、取り付け機構３０２が、左側３１１に近接して配置された開口部の第２組とマスク構造体３０１の中心との間に配置された開口部の１つ又は複数の組（たとえば、２つの組、３つの組等）にねじ込まれるか又はそこを通過する場合、取り付け機構３０２の第１部分は、右側３１２に近接して配置された開口部の第１組とマスク構造体３０１の中心との間に配置された開口部の組（たとえば、２つの組、３つの組等）にねじ込むことができ、又はそこを通過することができ、取り付け機構３０２の第２部分は、左側３１１に近接して配置された開口部の第２組とマスク構造体３０１の中心との間に配置された開口部の組（たとえば、２つの組、３つの組等）にねじ込むことができ、又はそこを通過することができる。これらの実施形態のうちのいくつかにおいて、取り付け機構３０２の第１部分は、左側３１１に近接して配置された開口部の第２組とマスク構造体３０１の中心との間に配置された開口部の組にねじ込まれず且つそこを通過せず、且つ／又は、取り付け機構３０２の第２部分は、右側３１１に近接して配置された開口部の第１組とマスク構造体３０１の中心との間に配置された開口部の組にねじ込まれず且つそこを通過しない。
【０１０６】
いくつかの実施形態において、取り付け機構３０２が複数の別個の部品を含む場合、且つ、取り付け機構３０２が、右側３１２に近接して（たとえば、マスク構造体３０１の中心より右側３１２寄りに）マスク構造体３０１に結合された第１部分（たとえば、第１ストラップ、バンド又は糸）を含む場合、取り付け機構３０２の第１部分は、右拘束機構３０３及び／又は右調整機構３０５を含むことができる。これらの実施形態又は他の実施形態において、取り付け機構３０２が複数の別個の部品を含む場合、且つ、取り付け機構３０２が、左側３１１に近接して（たとえば、マスク構造体３０１の中心より左側３１１寄りに）マスク構造体３０１に結合された第２部分（たとえば、第２ストラップ、バンド又は糸）を備える場合、取り付け機構３０２の第２部分は、左拘束機構３０４及び／又は左調整機構３０６を含むことができる。
【０１０７】
いくつかの実施形態において、右拘束機構３０３が実施される場合、且つ、右拘束機構３０３が取り付け機構３０２とは別個である場合、取り付け機構３０２は、たとえば、右縁６３２（図６）と右拘束機構３０３との間等、右側３１２に近接してマスク構造体３０１に結合することができる。一方、左拘束機構３０４が実施される場合、且つ、左拘束機構３０４が取り付け機構３０２とは別個である場合、取り付け機構３０２は、たとえば、左縁６３３（図６）と左拘束機構３０４との間等、左側３１１に近接してマスク構造体３０１に結合することができる。
【０１０８】
たとえば、右拘束機構３０３が実施される場合、右調整機構３０５が実施される場合、右拘束機構３０３が取り付け機構３０２の一部である場合、及び、右調整機構３０５が右拘束機構３０３の一部である場合等、さらなる実施形態において、取り付け機構３０２はマスク構造体３０１に、（ｉ）マスク構造体３０１において右側３１２とマスク構造体３０１の中心との間に形成された開口部のさまざまな第１組のうちの１つの組において結合することができ、その場合、開口部のさまざまな第１組内の開口部は、開口部のさまざまな第１組のうちの特定の組の各開口部が、マスク構造体３０１（たとえば層３０７）内で、多重襞３０８のうちの少なくとも１つの襞によって開口部の特定の組の他の開口部各々から分離されるように形成され、開口部のさまざまな第１組は、徐々にマスク構造体３０１の中心に互いに対して近づくか又は離れるように形成され、且つ、取り付けハーネス３０２をマスク構造体３０１に結合するために、取り付けハーネス３０２は開口部のさまざまな第１組のうちの１つの組の開口部にねじ込まれ、（ｉｉ）マスク構造体３０１において複数の襞３０８の異なる隣接する対の間に、且つ、左側３１４とマスク構造体３０１の中心との間に形成された開口部のさまざまな第２組のうちの１つの組において結合することができ、その場合、開口部のさまざまな第２内の開口部は、開口部のさまざまな第２組のうちの特定の組の各開口部が、マスク構造体３０１（たとえば層３０７）内で、多重襞３０８のうちの少なくとも１つの襞によって開口部の特定の組の他の開口部各々から分離されるように形成され、開口部のさまざまな第２組は、徐々にマスク構造体３０１の中心に互いに対して近づくか又は離れるように形成され、且つ、取り付けハーネス３０２をマスク構造体３０１に結合するために、取り付けハーネス３０２は開口部のさまざまな第２組のうちの１つの組の開口部にねじ込まれる。たとえば、開口部の第１組及び第２組の各々のうちの１つの組を通して取り付け機構３０２をねじ込むことは、マスク構造体３０１を右側３１２及び左側３１４に近接して拘束するように機能することができる。一方、開口部の第１組の間に且つ開口部の第２組の間に取り付け機構３０２を再配置することは、外面３１０に沿って取り付け機構３０２を再配置するように機能することができる。
【０１０９】
多くの実施形態において、図３に示すように、取り付け機構３０２は、右側に近接して（たとえば、マスク構造体３０１の中心より右側３１２寄りに）マスク構造体３０１に結合された第１ストラップと、左側３１４に近接して（たとえば、マスク構造体３０１の中心より左側３１１寄りに）マスク構造体３０１に結合された第２ストラップとを有するハーネスを含むことができる。これらの実施形態において、第１ストラップ及び第２ストラップは、使用者の右耳及び左耳の上で使用者の頭部の周囲に巻き付け、使用者の頭部の後方で合わせて結び付けるか又はクリップ留めすることができる。頭部は、頭部１０１（図１）と同様とすることができ、右耳は、右耳１１６（図１）と同様又は同一とすることができ、左耳は、左耳１１７（図１）と同様又は同一とすることができる。
【０１１０】
図面を先に進むと、図８は、実施形態によるレスピレータ８００を示す。レスピレータ８００は、マスク構造体８０１、取り付け機構８０２、右側８１２及び左側（図示せず）を備えることができる。一方、マスク構造体８０１は、マスク構造体３０１（図３）と同様又は同一とすることができ、取り付け機構８０２は、取り付け機構３０２（図３）と同様又は同一とすることができ、右側８１２は、右側３１２（図３）と同様又は同一とすることができ、左側は、左側３１４（図３）と同様又は同一とすることができる。
【０１１１】
多くの実施形態において、取り付け機構８０２は、単一ストラップを有するハーネスを含むことができる。単一ストラップは、使用者の右耳及び左耳の上で（又は下で（図示せず））レスピレータ８００の使用者の頭部の後方に巻き付けることができる。さらに、単一ストラップは、右側８１２に近接して（たとえば、マスク構造体８０１の中心より右側８１２寄りに）、且つ左側に近接して（たとえば、マスク構造体８０１の中心よりレスピレータ８００の左側寄りに）マスク構造体８０１に結合することができ、その後、使用者の右耳及び左耳の下で、使用者の頭部の後方に再度巻き付けることができ、そこで、単一ストラップの端部を合わせて結び付けるか又はクリップ留めすることができる。頭部は、頭部１０１（図１）と同様とすることができ、右耳は、右耳１１６（図１）と同様又は同一とすることができ、左耳は、左耳１１７（図１）と同様又は同一とすることができる。
【０１１２】
図面を先に進むと、図９は、実施形態によるレスピレータ９００を示す。レスピレータ９００は、マスク構造体９０１、取り付け機構９０２、右側９１２及び左側（図示せず）を備えることができる。一方、マスク構造体９０１は、マスク構造体３０１（図３）及び／又はマスク構造体８０１（図８）と同様又は同一とすることができ、取り付け機構９０２は、取り付け機構３０２（図３）及び／又は取り付け機構８０２（図８）と同様又は同一とすることができ、右側９１２は、右側３１２（図３）及び／又は右側８１２（図８）と同様又は同一とすることができ、左側は、左側３１４（図３）及び／又はレスピレータ８００（図８）の左側と同様又は同一とすることができる。
【０１１３】
多くの実施形態において、取り付け機構９０２は、右側９１２に近接して（たとえば、マスク構造体９０１の中心より右側９１２寄りに）マスク構造体９０１に結合された第１ストラップと、レスピレータ９００の左側に近接して（たとえば、マスク構造体９０１の中心よりレスピレータ９００の左側寄りに）マスク構造体９０１に結合された第２ストラップ（図示せず）とを有するハーネスを含むことができる。これらの実施形態において、第１ストラップは、レスピレータ９００の使用者の右耳の周囲に巻き付けられる第１ループを含むことができ、第２ストラップは、レスピレータ９００の使用者の左耳の周囲に巻き付けられる第２ループを含むことができる。右耳は、右耳１１６（図１）と同様又は同一とすることができ、左耳は、左耳１１７（図１）と同様又は同一とすることができる。
【０１１４】
多くの実施形態において、取り付け機構９０２のハーネスの第２ストラップは、取り付け機構９０２のハーネスの第１ストラップと同様又は同一であり得るが、レスピレータ９００の左側に関し且つ使用者の左耳に関する。たとえば、第２ストラップは第１ストラップの鏡像になる。
【０１１５】
図面を先に進むと、図１１は、実施形態によるレスピレータ１１００を示す。レスピレータ１１００は、マスク構造体１１０１、取り付け機構１１０２、右側１１１２及び左側（図示せず）を備えることができる。一方、マスク構造体１１０１は、マスク構造体３０１（図３）、マスク構造体８０１（図８）及び／又はマスク構造体９０１（図９）と同様又は同一とすることができ、取り付け機構１１０２は、取り付け機構３０２（図３）、取り付け機構８０２（図２）及び／又は取り付け機構９０２（図９）と同様又は同一とすることができ、右側１１１２は、右側３１２（図３）、右側８１２（図８）及び／又は右側９１２（図９）と同様又は同一とすることができ、左側は、左側３１４（図３）、レスピレータ８００（図８）の左側及び／又はレスピレータ９００（図９）の左側と同様又は同一とすることができる。
【０１１６】
多くの実施形態において、取り付け機構１１０２は、右側１１１２に近接して（たとえば、マスク構造体１１０１の中心より右側１１１２寄りに）マスク構造体１１０１に結合された第１ストラップ１１９０と、レスピレータ１１００の左側に近接して（たとえば、マスク構造体１１０１の中心よりレスピレータ１１００左側寄りに）マスク構造体１１０１に結合された第２ストラップ（図示せず）とを有するハーネスを含むことができる。いくつかの実施形態において、取り付け機構１１０２の第１ストラップ１１９０は、取り付け機構３０２（図３）の第１部分と同様又は同一とすることができ、取り付け機構１１０２の第２ストラップは、取り付け機構３０２（図３）の第２部分と同様又は同一とすることができる。
【０１１７】
いくつかの実施形態において、第１ストラップ１１９０の始端１１９１から開始して、第１ストラップ１１９０の終端１１９２まで進むと、第１ストラップ１１９０は、開口部の第１組１１９３を上方に通過し、レスピレータ１１００の使用者の右耳の周囲に固定することができるループを形成した後、開口部の第１組１１９３を再度上方に通過し、次いで、開口部の第１組１１９３とマスク構造体１１０１の中心との間に配置された開口部の第２組１１９４を下方に通過することができる。いくつかの実施形態において、開口部の第１組１１９３は、取り付け機構３０２（図３）に関して上述したように、右側３１２（図３）に近接して配置された開口部の第１組と同様又は同一とすることができ、開口部の第２組１１９４は、取り付け機構３０２（図３）に関して上述したように、右側３１２（図３）に近接して配置された開口部の第１組とマスク構造体３０１（図３）の中心との間に配置された開口部の組のうちの１つと同様又は同一とすることができる。又、右耳は、右耳１１６（図１）と同様又は同一とすることができる。第１ストラップ１１９０、開口部の第１組１１９３、開口部の第２組１１９４をより明確に例示するために、図１１は、破線を使用して、マスク構造体３０１（図３）によって視界が遮られる、第１ストラップ１１９０、開口部の第１組１１９３及び開口部の第２組１１９４の部分を示す。
【０１１８】
いくつかの実施形態において、第１ストラップ１１９０の始端１１９１は第１停止機構１１９８を備えることができ、第１ストラップ１１９０の終端１１９２は第２停止機構１１９９を備えることができる。第１停止機構１１９８及び第２停止機構１１９９は、各々、取り付け機構３０２（図３）に関して上述した停止機構と同様又は同一とすることができる。
【０１１９】
さらなる実施形態において、第１ストラップ１１９０の始端１１９１において、開口部の第１組１１９３を通して第１ストラップ１１９０を下方に引っ張ることにより、使用者の右耳の周囲で第１ストラップ１１９０を締め付けることができる。これらの実施形態又は他の実施形態において、第１ストラップ１１９０の終端１１９２において、開口部の第２組１１９４を通して第１ストラップ１１９０を下方に引っ張ることにより、使用者の顔面領域及び／又は顎下領域においてレスピレータ１１００のフィットを調整することができる。これらの実施形態において、顔面領域は、顔面領域１０２（図１）と同様又は同一とすることができ、且つ／又は、顎下領域は、顎下領域１１５（図１）と同様又は同一とすることができる。
【０１２０】
多くの実施形態において、取り付け機構１１０２のハーネスの第２ストラップは、取り付け機構１１０２のハーネスの第１ストラップ１１９０と同様又は同一であり得るが、レスピレータ１１００の左側に関し、且つ、使用者の左耳に関する。たとえば、第２ストラップは第１ストラップ１１９０の鏡像となることができる。さらに、左耳は、左耳１１７（図１）と同様又は同一とすることができる。
【０１２１】
図面を先に進むと、図１２は、実施形態によるレスピレータ１２００を示す。レスピレータ１２００は、マスク構造体１２０１、取り付け機構１２０２、右側１２１２及び左側（図示せず）を備えることができる。一方、マスク構造体１２０１は、マスク構造体３０１（図３）、マスク構造体８０１（図８）、マスク構造体９０１（図９）及び／又はマスク構造体１１０１（図１１）と同様又は同一とすることができ、取り付け機構１２０２は、取り付け機構３０２（図３）、取り付け機構８０２（図２）、取り付け機構９０２（図９）及び／又は取り付け機構１１０２（図１１）と同様又は同一とすることができ、右側１２１２は、右側３１２（図３）、右側８１２（図８）、右側９１２（図９）及び／又は右側１１１２（図１１）と同様又は同一とすることができ、左側は、左側３１４（図３）、レスピレータ８００（図８）の左側、レスピレータ９００（図９）の左側及び／又はレスピレータ１１００（図１１）の左側と同様又は同一とすることができる。
【０１２２】
多くの実施形態において、取り付け機構１２０２は、右側１２１２に近接して（たとえば、マスク構造体１２０１の中心より右側１２１２寄りに）マスク構造体１２０１に結合された第１ストラップ１２９０と、レスピレータ１２００の左側に近接して（たとえば、マスク構造体１２０１の中心より左側寄りに）マスク構造体１２０１に結合された第２ストラップ（図示せず）とを有するハーネスを含むことができる。いくつかの実施形態において、取り付け機構１２０２の第１ストラップ１２９０は、取り付け機構３０２（図３）の第１部分と同様又は同一とすることができ、取り付け機構１２０２の第２ストラップは、取り付け機構３０２（図３）の第２部分と同様又は同一とすることができる。
【０１２３】
いくつかの実施形態において、第１ストラップ１２９０の始端１２９１から開始して、第１ストラップ１２９０の終端１２９２まで進むと、第１ストラップ１２９０は、開口部の第１組１２９３を上方に通過し、使用者の右耳の周囲に固定することができるループを形成した後、開口部の第１組１２９３を再度上方に通過し、次いで、開口部の第１組１２９３とマスク構造体１２０１の中心との間に配置された開口部の第２組１２９４を下方に通過した後、開口部の第１組１２９３を再度上方に通過することができる。いくつかの実施形態において、開口部の第１組１２９３は、取り付け機構３０２（図３）に関して上述したように、右側３１２（図３）に近接して配置された開口部の第１組と同様又は同一とすることができ、開口部の第２組１２９４は、取り付け機構３０２（図３）に関して上述したように、右側３１２（図３）に近接して配置された開口部の第１組とマスク構造体３０１（図３）の中心との間に配置された開口部の組のうちの１つと同様又は同一とすることができる。又、右耳は、右耳１１６（図１）と同様又は同一とすることができる。第１ストラップ１２９０、開口部の第１組１２９３及び開口部の第２組１２９４をより明確に例示するために、図１２は、破線を使用して、マスク構造体３０１（図３）によって視界が遮られる、第１ストラップ１２９０、開口部の第１組１２９３及び開口部の第２組１２９４の部分を示す。
【０１２４】
いくつかの実施形態において、第１ストラップ１２９０の始端１２９１は第１停止機構１２９８を備えることができ、第１ストラップ１２９０の終端１２９２は第２停止機構１２９９を備えることができる。第１停止機構１２９８及び第２停止機構１２９９は、各々、取り付け機構３０２（図３）に関して上述した停止機構と同様又は同一とすることができる。
【０１２５】
さらなる実施形態において、第１ストラップ１２９０の始端１２９１において、開口部の第１組１２９３を通して第１ストラップ１２９０を下方に引っ張ることにより、使用者の右耳の周囲で第１ストラップ１２９０を締め付けることができる。これらの実施形態又は他の実施形態において、第１ストラップ１２９０の終端１２９２において、開口部の第１組１２９３を通して第１ストラップ１２９０を下方に引っ張ることにより、使用者の顔面領域及び／又は顎下領域においてレスピレータ１２００のフィットを調整することができる。これらの実施形態において、顔面領域は、顔面領域１０２（図１）と同様又は同一とすることができ、且つ／又は、顎下領域は、顎下領域１１５（図１）と同様又は同一とすることができる。
【０１２６】
多くの実施形態において、取り付け機構１２０２のハーネスの第２ストラップは、取り付け機構１２０２のハーネスの第１ストラップ１２９０と同様又は同一であり得るが、レスピレータ１２００の左側に関し、且つ、使用者の左耳に関する。たとえば、第２ストラップは第１ストラップ１２９０の鏡像となることができる。さらに、左耳は、左耳１１７（図１）と同様又は同一とすることができる。
【０１２７】
図面を先に進むと、図１３は、実施形態によるレスピレータ１３００を示す。レスピレータ１３００は、マスク構造体１３０１、取り付け機構１３０２、右側１３１２及び左側（図示せず）を備えることができる。一方、マスク構造体１３０１は、マスク構造体３０１（図３）、マスク構造体８０１（図８）、マスク構造体９０１（図９）、マスク構造体１１０１（図１１）及び／又はマスク構造体１２０１（図１２）と同様又は同一とすることができ、取り付け機構１３０２は、取り付け機構３０２（図３）、取り付け機構８０２（図２）、取り付け機構９０２（図９）、取り付け機構１１０２（図１１）及び／又は取り付け機構１２０２（図１２）と同様又は同一とすることができ、右側１３１２は、右側３１２（図３）、右側８１２（図８）、右側９１２（図９）、右側１１１２（図１１）及び／又は右側１２１２（図１２）と同様又は同一とすることができ、左側は、左側３１４（図３）、レスピレータ８００（図８）の左側、レスピレータ９００（図９）の左側、レスピレータ１１００（図１１）の左側及び／又はレスピレータ１２００（図１２）の左側と同様又は同一とすることができる。
【０１２８】
多くの実施形態において、取り付け機構１３０２は、右側１３１２に近接して（たとえば、マスク構造体１３０１の中心より右側１３１２寄りに）マスク構造体１３０１に結合された第１ストラップ１３９０と、レスピレータ１３００の左側に近接して（たとえば、マスク構造体１３０１の中心よりレスピレータ１３００の左側寄りに）マスク構造体１３０１に結合された第２ストラップ（図示せず）とを有するハーネスを含むことができる。いくつかの実施形態において、取り付け機構１３０２の第１ストラップ１３９０は、取り付け機構３０２（図３）の第１部分と同様又は同一とすることができ、取り付け機構１３０２の第２ストラップは、取り付け機構３０２（図３）の第２部分と同様又は同一とすることができる。
【０１２９】
いくつかの実施形態において、第１ストラップ１３９０の始端１３９１から開始して、第１ストラップ１３９０の終端１３９２まで進むと、第１ストラップ１３９０は、開口部の第２組１３９４を上方に通過し、使用者の右耳の周囲に固定することができるループを形成した後、開口部の第１組１３９３を上方に通過し、次いで、開口部の第４組１３９６を下方に通過した後、開口部の第３組１３９５を上方に通過することができる。さらに、開口部の第２組１３９４は、開口部の第１組１３９３とマスク構造体１３０１の中心との間とすることができ、開口部の第３組１３９５は、開口部の第２組１３９４とマスク構造体１３０１の中心との間とすることができ、開口部の第４組１３９６は、開口部の第３組１３９５とマスク構造体１３０１の中心との間とすることができる。いくつかの実施形態において、開口部の第１組１３９３は、取り付け機構３０２（図３）に関して上述したように、右側３１２（図３）に近接して配置された開口部の第１組と同様又は同一とすることができ、開口部の第２組１３９４は、取り付け機構３０２（図３）に関して上述したように、右側３１２（図３）に近接して配置された開口部の第１組とマスク構造体３０１（図３）の中心との間に配置された開口部の組のうちの１つと同様又は同一とすることができ、開口部の第３組１３９５は、取り付け機構３０２（図３）に関して上述したように、右側３１２（図３）に近接して配置された開口部の第１組とマスク構造体３０１（図３）の中心との間に配置された開口部の組のうちの１つと同様又は同一とすることができ、開口部の第４組１３９６は、取り付け機構３０２（図３）に関して上述したように、右側３１２（図３）に近接して配置された開口部の第１組とマスク構造体３０１（図３）の中心との間に配置された開口部の組のうちの１つと同様又は同一とすることができる。又、右耳は、右耳１１６（図１）と同様又は同一とすることができる。第１ストラップ１３９０、開口部の第１組１３９３、開口部の第２組１３９４、開口部の第３組１３９５及び開口部の第４組１３９６をより明確に例示するために、図１３は、破線を使用して、マスク構造体３０１（図３）によって視界が遮られる、第１ストラップ１３９０、開口部の第１組１３９３、開口部の第２組１３９４、開口部の第３組１３９５及び開口部の第４組１３９６の部分を示す。
【０１３０】
いくつかの実施形態において、第１ストラップ１３９０の始端１３９１は第１停止機構１３９８を備えることができ、第１ストラップ１３９０の終端１３９２は第２停止機構１３９９を備えることができる。第１停止機構１３９８及び第２停止機構１３９９は、各々、取り付け機構３０２（図３）に関して上述した停止機構と同様又は同一とすることができる。
【０１３１】
さらなる実施形態において、第１ストラップ１３９０の始端１３９１において、開口部の第２組１３９４を通して第１ストラップ１３９０を下方に引っ張ることにより、使用者の右耳の周囲で第１ストラップ１３９０を締め付けることができる。これらの実施形態又は他の実施形態において、第１ストラップ１３９０の終端１３９２において、開口部の第３組１３９５を通して第１ストラップ１３９０を下方に引っ張ることにより、使用者の顔面領域及び／又は顎下領域においてレスピレータ１３００のフィットを調整することができる。これらの実施形態において、顔面領域は、顔面領域１０２（図１）と同様又は同一とすることができ、且つ／又は、顎下領域は、顎下領域１１５（図１）と同様又は同一とすることができる。
【０１３２】
多くの実施形態において、取り付け機構１３０２のハーネスの第２ストラップは、取り付け機構１３０２のハーネスの第１ストラップ１３９０と同様又は同一であり得るが、レスピレータ１３００の左側に関し、且つ、使用者の左耳に関する。たとえば、第２ストラップは第１ストラップ１３９０の鏡像となることができる。さらに、左耳は、左耳１１７（図１）と同様又は同一とすることができる。
【０１３３】
図面を先に進むと、図１４は、実施形態によるレスピレータ１４００を示す。レスピレータ１４００は、マスク構造体１４０１、取り付け機構１４０２、右側１４１２及び左側（図示せず）を備えることができる。一方、マスク構造体１４０１は、マスク構造体３０１（図３）、マスク構造体８０１（図８）、マスク構造体９０１（図９）、マスク構造体１１０１（図１１）、マスク構造体１２０１（図１２）及び／又はマスク構造体１３０１（図１３）と同様又は同一とすることができ、取り付け機構１３０２は、取り付け機構３０２（図３）、取り付け機構８０２（図２）、取り付け機構９０２（図９）、取り付け機構１１０２（図１１）、取り付け機構１２０２（図１２）及び／又は取り付け機構１３０２（図１３）と同様又は同一とすることができ、右側１３１２は、右側３１２（図３）、右側８１２（図８）、右側９１２（図９）、右側１１１２（図１１）、右側１２１２（図１２）及び／又は右側１３１２（図１３）と同様又は同一とすることができ、左側は、左側３１４（図３）、レスピレータ８００（図８）の左側、レスピレータ９００（図９）の左側、レスピレータ１１００（図１１）の左側、レスピレータ１２００（図１２）の左側及び／又はレスピレータ１３００（図１３）の左側と同様又は同一とすることができる。
【０１３４】
多くの実施形態において、取り付け機構１４０２は、右側１４１２に近接して（たとえば、マスク構造体１４０１の中心より右側１４１２寄りに）マスク構造体１４０１に結合された第１ストラップ１４９０と、レスピレータ１４００の左側に近接して（たとえば、マスク構造体１４０１の中心よりレスピレータ１４００の左側寄りに）マスク構造体１４０１に結合された第２ストラップ（図示せず）とを有するハーネスを含むことができる。いくつかの実施形態において、取り付け機構１４０２の第１ストラップ１４９０は、取り付け機構３０２（図３）の第１部分と同様又は同一とすることができ、取り付け機構１４０２の第２ストラップは、取り付け機構３０２（図３）の第２部分と同様又は同一とすることができる。
【０１３５】
いくつかの実施形態において、第１ストラップ１４９０の始端１４９１から開始して、第１ストラップ１４９０の終端１４９２まで進むと、第１ストラップ１４９０は、開口部の第１組１４９３を上方に通過し、使用者の右耳の周囲に固定することができるループを形成した後、開口部の第１組１４９３を再度上方に通過することができる。いくつかの実施形態において、開口部の第１組１３９３は、取り付け機構３０２（図３）に関して上述したように、右側３１２（図３）に近接して配置された開口部の第１組と同様又は同一とすることができる。又、右耳は、右耳１１６（図１）と同様又は同一とすることができる。第１ストラップ１４９０及び開口部の第１組１４９３をより明確に例示するために、図１４は、破線を使用して、マスク構造体３０１（図３）によって視界が遮られる、第１ストラップ１４９０及び開口部の第１組１４９３の部分を示す。
【０１３６】
いくつかの実施形態において、第１ストラップ１４９０の始端１４９１は第１停止機構１４９８を備えることができ、第１ストラップ１４９０の終端１４９２は第２停止機構１４９９を備えることができる。第１停止機構１４９８及び第２停止機構１４９９は、各々、取り付け機構３０２（図３）に関して上述した停止機構と同様又は同一とすることができる。
【０１３７】
さらなる実施形態において、第１ストラップ１４９０の始端１４９１において、開口部の第１組１４９３を通して第１ストラップ１４９０を下方に引っ張ることにより、使用者の右耳の周囲で第１ストラップ１４９０を締め付けることができる。これらの実施形態又は他の実施形態において、第１ストラップ１４９０の終端１４９２において、開口部の第１組１４９３を通して第１ストラップ１４９０を上方に引っ張ることにより、使用者の右耳の周囲で第１ストラップ１４９０を締め付けることができる。
【０１３８】
多くの実施形態において、取り付け機構１４０２のハーネスの第２ストラップは、取り付け機構１４０２のハーネスの第１ストラップ１４９０と同様又は同一であり得るが、レスピレータ１４００の左側に関し、且つ、使用者の左耳に関する。たとえば、第２ストラップは第１ストラップ１４９０の鏡像となることができる。さらに、左耳は、左耳１１７（図１）と同様又は同一とすることができる。
【０１３９】
図面を先に進むと、図１５は、実施形態によるレスピレータ１５００を示す。レスピレータ１５００は、マスク構造体１５０１、取り付け機構１５０２、右側１５１２及び左側（図示せず）を備えることができる。一方、マスク構造体１５０１は、マスク構造体３０１（図３）、マスク構造体８０１（図８）、マスク構造体９０１（図９）、マスク構造体１１０１（図１１）、マスク構造体１２０１（図１２）、マスク構造体１３０１（図１３）及び／又はマスク構造体１４０１（図１４）と同様又は同一とすることができ、取り付け機構１５０２は、取り付け機構３０２（図３）、取り付け機構８０２（図２）、取り付け機構９０２（図９）、取り付け機構１１０２（図１１）、取り付け機構１２０２（図１２）、取り付け機構１３０２（図１３）及び／又は取り付け機構１４０２（図１４）と同様又は同一とすることができ、右側１５１２は、右側３１２（図３）、右側８１２（図８）、右側９１２（図９）、右側１１１２（図１１）、右側１２１２（図１２）、右側１３１２（図１３）及び／又は同様又は右側１４１２（図１４）と同様又は同一とすることができ、左側は、左側３１４（図３）、レスピレータ８００（図８）の左側、レスピレータ９００（図９）の左側、レスピレータ１１００（図１１）の左側、レスピレータ１２００（図１２）の左側、レスピレータ１３００（図１３）の左側及び／又はレスピレータ１４００（図１４）の左側と同様又は同一とすることができる。
【０１４０】
多くの実施形態において、取り付け機構１５０２は、右側１５１２に近接して（たとえば、マスク構造体１５０１の中心より右側１５１２寄りに）マスク構造体１５０１に結合された第１ストラップ１５９０と、レスピレータ１５００の左側に近接して（たとえば、マスク構造体１５０１の中心よりレスピレータ１５００の左側寄りに）マスク構造体１５０１に結合された第２ストラップ（図示せず）とを有するハーネスを含むことができる。いくつかの実施形態において、取り付け機構１５０２の第１ストラップ１５９０は、取り付け機構３０２（図３）の第１部分と同様又は同一とすることができ、取り付け機構１５０２の第２ストラップは、取り付け機構３０２（図３）の第２部分と同様又は同一とすることができる。
【０１４１】
いくつかの実施形態において、第１ストラップ１５９０の始端１５９１から開始して、第１ストラップ１５９０の終端１５９２まで進むと、第１ストラップ１５９０は、開口部の第１組１５９３を上方に通過し、使用者の右耳の周囲に固定することができるループを形成した後、開口部の第１組１５９３とマスク構造体１５０１の中心との間に配置された開口部の第２組１５９４を上方に通過することができる。いくつかの実施形態において、開口部の第１組１５９３は、取り付け機構３０２（図３）に関して上述したように、右側３１２（図３）に近接して配置された開口部の第１組と同様又は同一とすることができ、開口部の第２組１５９４は、取り付け機構３０２（図３）に関して上述したように、右側３１２（図３）に近接して配置された開口部の第１組とマスク構造体３０１（図３）の中心との間に配置された開口部の組のうちの１つと同様又は同一とすることができる。又、右耳は、右耳１１６（図１）と同様又は同一とすることができる。第１ストラップ１５９０、開口部の第１組１５９３、開口部の第２組１５９４をより明確に例示するために、図１５は、破線を使用して、マスク構造体３０１（図３）によって視界が遮られる第１ストラップ１５９０、開口部の第１組１５９３及び開口部の第２組１５９４の部分を示す。
【０１４２】
いくつかの実施形態において、第１ストラップ１５９０の始端１５９１は第１停止機構１５９８を備えることができ、第１ストラップ１５９０の終端１５９２は第２停止機構１５９９を備えることができる。第１停止機構１５９８及び第２停止機構１５９９は、各々、取り付け機構３０２（図３）に関して上述した停止機構と同様又は同一とすることができる。
【０１４３】
さらなる実施形態において、第１ストラップ１５９０の始端１５９１において、開口部の第１組１５９３を通して第１ストラップ１５９０を下方に引っ張ることにより、使用者の右耳の周囲で第１ストラップ１５９０を締め付けることができる。これらの実施形態又は他の実施形態において、第１ストラップ１５９０の終端１５９２において、開口部の第２組１５９４を通して第１ストラップ１５９０を下方に引っ張ることにより、使用者の右耳の周囲で第１ストラップ１５９０を締め付けることができる。
【０１４４】
多くの実施形態において、取り付け機構１５０２のハーネスの第２ストラップは、取り付け機構１５０２のハーネスの第１ストラップ１５９０と同様又は同一であり得るが、レスピレータ１５００の左側に関し、且つ、使用者の左耳に関する。たとえば、第２ストラップは第１ストラップ１５９０の鏡像となることができる。さらに、左耳は、左耳１１７（図１）と同様又は同一とすることができる。
【０１４５】
ここで図面を戻ると、図１０は、レスピレータを提供する（たとえば製造する）方法１０００の実施形態のフローチャートを示す。レスピレータは、レスピレータ３００（図３）、レスピレータ８００（図８）、レスピレータ９００（図９）、レスピレータ１１００（図１１）、レスピレータ１２００（図１２）、レスピレータ１３００（図１３）、レスピレータ１４００（図１４）及び／又はレスピレータ１５００（図１５）と同様又は同一とすることができる。方法１０００は、単に例示的であり、本明細書に提示した実施形態に限定されない。方法１０００は、本明細書に具体的に図示も記載もしていない多くの異なる実施形態又は例において採用することができる。いくつかの実施形態において、方法１０００の動作は、提示する順序で実施することができる。他の実施形態では、方法１０００の動作は、他の任意の好適な順序で実施することができる。さらに他の実施形態では、方法１０００における動作のうちの１つ又は複数を組み合わせるか又は飛ばすことができる。
【０１４６】
多くの実施形態において、方法１０００は、マスク構造体を提供する（たとえば形成する）動作１００１を含むことができる。いくつかの実施形態において、動作１００１を実施することは、上述したようなマスク構造体３０１（図３）、マスク構造体８０１（図８）、マスク構造体９０１（図９）、マスク構造体１１０１（図１１）、マスク構造体１２０１（図１２）、マスク構造体１３０１（図１３）、マスク構造体１４０１（図１４）及び／又はマスク構造体１５０１（図１５）を提供する（たとえば形成する）ことと同様又は同一であり得る。さらに、マスク構造体は、マスク構造体３０１（図３）、マスク構造体８０１（図８）、マスク構造体９０１（図９）、マスク構造体１１０１（図１１）、マスク構造体１２０１（図１２）、マスク構造体１３０１（図１３）、マスク構造体１４０１（図１４）及び／又はマスク構造体１５０１（図１５）と同様又は同一であり得る。
【０１４７】
多くの実施形態において、方法１０００は、取り付け機構を提供する（たとえば形成する）動作１００２を含むことができる。いくつかの実施形態において、動作１００２を実施することは、上述したような取り付け機構３０２（図３）、取り付け機構８０２（図８）、取り付け機構９０２（図９）、取り付け機構１１０２（図１１）、取り付け機構１２０２（図１２）、取り付け機構１３０２（図１３）、取り付け機構１４０２（図１４）及び／又は取り付け機構１５０２（図１５）を提供する（たとえば形成する）ことと同様又は同一であり得る。さらに、取り付け機構は、取り付け機構３０２（図３）、取り付け機構８０２（図８）、取り付け機構９０２（図９）、取り付け機構１１０２（図１１）、取り付け機構１２０２（図１２）、取り付け機構１３０２（図１３）、取り付け機構１４０２（図１４）及び／又は取り付け機構１５０２（図１５）と同様又は同一であり得る。
【０１４８】
多くの実施形態において、方法１０００は、マスク構造体に取り付け機構を結合する動作１００３を含むことができる。いくつかの実施形態において、動作１００３を実施することは、レスピレータ３００（図３）に関して上述したようにマスク構造体に取り付け機構を結合することと同様又は同一であり得る。
【０１４９】
本発明について具体的な実施形態に関して説明したが、当業者であれば、本開示の趣旨又は範囲から逸脱することなくさまざまな変更を行うことができることが理解されよう。したがって、実施形態の開示は、開示の範囲を例示するように意図され、限定するようには意図されていない。本開示の範囲は、添付の特許請求の範囲によって要求される範囲にのみ限定されるものとして意図されている。たとえば、当業者であれば、図１〜図１５の任意の要素を変更することができることと、これらの実施形態のうちのいくつかの上述した考察は必ずしもすべてのあり得る実施形態の完全な説明を表すものではないこととが容易に明らかとなろう。たとえば、方法１０００（図１０）の動作のうちの１つ若しくは複数又は本明細書に記載する他の方法のうちの１つ若しくは複数は、異なる動作を含むことができ、多くの異なるシステムにおいて且つ／又は多くの異なる順序で実施することができる。
【０１５０】
概して、１つ又は複数の請求項に係る要素の置換は、訂正ではなく再構築である。さらに、利益、他の利点、及び問題の解決法について、具体的な実施形態に関して説明した。しかしながら、利益、利点、問題の解決法、及び、任意の利点、利益又は解決法が生じ又はより明白になるようにすることができる任意の１つの要素又は複数の要素は、こうした利益、利点、解決法又は要素がこうした請求項に述べられていない限り、請求項のうちの任意のもの又はすべての不可欠な、必須の又は本質的な特徴又は要素として解釈されるべきではない。
【０１５１】
さらに、本明細書に開示する実施形態及び限定は、実施形態及び／又は限定が（１）請求項に明示的に記載されておらず、（２）均等物の原則の下で請求項における明示的な要素及び／又は限定の均等物であり、又は均等物である可能性がある場合、公有の原則（ｄｏｃｔｒｉｎｅ  ｏｆ  ｄｅｄｉｃａｔｉｏｎ）の下で公共用として提供されることはない。
【図１】
2020510507.tif 000003
【図２】
2020510507.tif 000004
【図３】
2020510507.tif 000005
【図４】
2020510507.tif 000006
【図５】
2020510507.tif 000007
【図６】
2020510507.tif 000008
【図７】
2020510507.tif 000009
【図８】
2020510507.tif 000010
【図９】
2020510507.tif 000011
【図１０】
2020510507.tif 000012
【図１１】
2020510507.tif 000013
【図１２】
2020510507.tif 000014
【図１３】
2020510507.tif 000015
【図１４】
2020510507.tif 000016
【図１５】
2020510507.tif 000017
【手続補正書】
【提出日】令和1年11月5日(2019.11.5)
【手続補正１】
【補正対象書類名】明細書
【補正対象項目名】００１１
【補正方法】変更
【補正の内容】
【００１１】
本明細書における且つ特許請求の範囲において「左」、「右」、「前」、「後」、「上」、「下」、「上に」、「下に」等の用語があるとすれば、それは、説明の目的で使用され、必ずしも、永久的な相対位置を記述するために使用されるものではない。そのように使用される用語は、本明細書に記載する本発明の実施形態が、たとえば、本明細書に例示するか又は他の方法で記載するもの以外の向きでの動作を可能にするように、適切な環境の下で交換可能であることが理解されるべきである。
【手続補正２】
【補正対象書類名】明細書
【補正対象項目名】００２９
【補正方法】変更
【補正の内容】
【００２９】
さらに、ろ過層４１５は、ろ過層第１面４１６とろ過層第２面４１７との間に延在するろ過層厚さを有することができる。多くの実施形態において、ろ過層４１５のろ過層厚さは、約０．２７９４ミリメートル以上且つ／又は約１．７５２６ミリメートル以下であり得る。しかしながら、概して、ろ過層４１５のろ過層厚さは、ろ過層４１５が規制物質に対してフィルタとして機能し、多重襞３０８（図３）がマスク構造体３０１（図３）に形成されるのを可能にする任意の好適な厚さであり得る。たとえば、いくつかの実施形態において、ろ過層４１５のろ過層厚さは約０．５０８ミリメートルであり得る。
【手続補正３】
【補正対象書類名】明細書
【補正対象項目名】００３０
【補正方法】変更
【補正の内容】
【００３０】
さらに、ろ過層４１５は、ろ過層坪量又は連量を有することができる。たとえば、ろ過層坪量は、約５０グラム／平方メートル以上且つ／又は約１７８グラム／平方メートル以下であり得る。しかしながら、概して、ろ過層４１５のろ過層坪量は、ろ過層４１５が規制物質に対してフィルタとして機能し、多重襞３０８（図３）がマスク構造体３０１（図３）に形成されるのを可能にする任意の好適な坪量であり得る。たとえば、いくつかの実施形態において、ろ過層４１５のろ過層坪量は、約７０グラム／平方メートルであり得る。
【手続補正４】
【補正対象書類名】明細書
【補正対象項目名】００３１
【補正方法】変更
【補正の内容】
【００３１】
さらに、ろ過層４１５は、気流抵抗を有することができる。たとえば、いくつかの実施形態において、ろ過層４１５の気流抵抗は、１７０平方センチメートルのろ過面積にわたって８５リットル／分の空気流量に対して、米国ミネソタ州ショアビューのＴＳＩ  Ｉｎｃｏｒｐｏｒａｔｅｄの自動化フィルタテスタモデル８１３０によって試験した場合、約８．６水柱ミリメートル以上であり得る。これらの実施形態又は他の実施形態において、ろ過層４１５の気流抵抗は、１７０平方センチメートルのろ過面積にわたって８５リットル／分の空気流量に対して、米国ミネソタ州ショアビューのＴＳＩ  Ｉｎｃｏｒｐｏｒａｔｅｄの自動化フィルタテスタモデル８１３０によって試験した場合、約２０水柱ミリメートル以下であり得る。多くの実施形態において、ろ過層４１５の気流抵抗は、１７０平方センチメートルのろ過面積にわたって８５リットル／分の空気流量に対して、米国ミネソタ州ショアビューのＴＳＩ  Ｉｎｃｏｒｐｏｒａｔｅｄの自動化フィルタテスタモデル８１３０によって試験した場合、約１３．７水柱ミリメートルであり得る。
【手続補正５】
【補正対象書類名】明細書
【補正対象項目名】００３９
【補正方法】変更
【補正の内容】
【００３９】
さらに、接触層４２１は、接触層第１面４２２と接触層第２面４２３との間に延在する接触層厚さを有することができる。多くの実施形態において、接触層４２１の接触層厚さは、約０．０７ミリメートル以上且つ／又は約０．３７ミリメートル以下であり得る。しかしながら、概して、接触層４２１の接触層厚さは、接触層４２１が接触層第１面４２２及び／又は接触層第２面４２３において湿気を吸い出す毛管作用を提供し、マスク構造体３０１（図３）に多重襞３０８（図３）が形成されるのを可能にする任意の好適な厚さであり得る。
【手続補正６】
【補正対象書類名】明細書
【補正対象項目名】００５９
【補正方法】変更
【補正の内容】
【００５９】
多くの実施形態において、上述したように、レスピレータ３００は、右拘束機構３０３及び／又は左拘束機構３０４を備えることができる。これらの実施形態又は他の実施形態において、右拘束機構３０３は、右側３１２に近接して（たとえば、マスク構造体３０１の中心より右側３１２寄りに）マスク構造体３０１を合わせて拘束して、マスク構造体３０１を合わせて右側３１２に近接するようにすることができ、左拘束機構３０４は、左側３１４に近接して（たとえば、マスク構造体３０１の中心より左側３１４寄りに）マスク構造体３０１を合わせて拘束して、マスク構造体３０１を合わせて左側３１４に近接するようにすることができる。たとえば、多重襞３０８が多重水平襞を含む場合、右拘束機構３０３は、マスク構造体３０１を合わせて右側３１２に近接するようにして、多重水平襞の面が右拘束機構３０３において互いにおよそ平行になるようにすることができ、左拘束機構３０４は、マスク構造体３０１を左側３１４に近接するようにして、複数の水平襞の面が左拘束機構３０４において互いにおよそ平行になるようにすることができる。
【手続補正７】
【補正対象書類名】明細書
【補正対象項目名】００６５
【補正方法】変更
【補正の内容】
【００６５】
図面を先に進むと、図６は、図３の実施形態によるレスピレータ３００の背面図を示す。上述したように、レスピレータ３００は、接触面６０９、右縁６３２、左縁６３３、上縁６３４及び下縁６３５を有することができる。右縁６３２は、右側３１２に最も近いマスク構造体３０１の縁を指すことができ、左縁６３３は、左側３１４に最も近いマスク構造体３０１の縁を指すことができ、上縁６３４は、上縁３３４に最も近いマスク構造体３０１の縁を指すことができ、下縁６３５は、下側３１３に最も近いマスク構造体３０１の縁を指すことができる。さらに、右縁６３２は、左縁６３３と反対側とすることができ、その逆も可能であり、上縁６３４は下縁６３５と反対側とすることができ、その逆も可能である。
【手続補正８】
【補正対象書類名】明細書
【補正対象項目名】００９４
【補正方法】変更
【補正の内容】
【００９４】
右調整機構止め具３２７は、右調整機構３０５が動作可能に再配置されるように構成される、外面３１０に沿ったさまざまな異なる位置で、右調整機構３０５を固定して保持するように構成された１つ又は複数の機構を備えることができる。右調整機構止め具３２７の各右調整機構止め具は、異なる時点で右調整機構３０５を受け入れることができ、右調整機構３０５を再配置することが望ましくなるまで、右調整機構３０５を固定して保持することができる。実施において、右調整機構止め具３２７は、マスク構造体３０１に形成された１つ又は複数の切欠き又はくぼみを備えることができる。多くの実施形態において、左調整機構止め具３２８は、右調整機構止め具３２７と同様又は同一であり得るが、左調整機構３０６（図３）に関する。他の実施形態では、右調整機構止め具３２７及び／又は左調整機構止め具３２８を省略することができる。
【手続補正９】
【補正対象書類名】明細書
【補正対象項目名】００９８
【補正方法】変更
【補正の内容】
【００９８】
多くの実施形態において、取り付け機構３０２は、右側３１２に近接して（たとえば、マスク構造体３０１の中心より右側３１２寄りに）、且つ左側３１４に近接して（たとえば、マスク構造体３０１の中心より左側３１４寄りに）マスク構造体３０１に結合することができる。たとえば、いくつかの実施形態において、取り付け機構３０２が、取り付け機構３０２をマスク構造体３０１に結合するためにマスク構造体３０１（たとえば層３０７）に形成された開口部の１つ又は複数の組（たとえば、開口部の複数の組）にねじ込まれるか又はそこを通過する場合、取り付け機構３０２は、右側３１２に近接して（たとえば、マスク構造体３０１の中心より右側３１２寄りに）配置された開口部の第１の組及び左側３１４に近接して（たとえば、マスク構造体３０１の中心より左側３１４寄りに）配置された開口部の第２の組にねじ込むことができ、又はそこを通過することができる。さらなる実施形態において、取り付け機構３０２は又、右側３１２に近接して配置された開口部の第１組とマスク構造体３０１の中心との間に配置された開口部の１つ又は複数の組（たとえば、２つの組、３つの組等）にねじ込むことができ、若しくはそこを通過することができ、且つ／又は、左側３１４に近接して配置された開口部の第２組とマスク構造体３０１の中心との間に配置された開口部の１つ又は複数の組（たとえば、２つの組、３つの組等）にも又、ねじ込むことができ、又はそこを通過することができる。いくつかの実施形態において、右側３１２に近接して配置された開口部の第１組とマスク構造体３０１の中心との間に配置された開口部の組が、開口部の複数の組を含む場合、開口部の複数の組は、徐々に右側３１２から離れて且つマスク構造体３０１の中心寄りに配置することができる。これらの実施形態又は他の実施形態において、左側３１４に近接して配置された開口部の第２組とマスク構造体３０１の中心との間に配置された開口部の組が、開口部の複数の組を含む場合、開口部の複数の組は、徐々に左側３１４から離れて且つマスク構造体３０１の中心寄りに配置することができる。
【手続補正１０】
【補正対象書類名】明細書
【補正対象項目名】００９９
【補正方法】変更
【補正の内容】
【００９９】
いくつかの実施形態において、取り付け機構３０２が、取り付け機構３０２をマスク構造体３０１に結合するためにマスク構造体３０１（たとえば層３０７）に形成された開口部の１つ又は複数の組（たとえば、開口部の複数の組）にねじ込まれるか又はそこを通過する場合、開口部の１つ又は複数の組の特定の組における開口部の各々は、マスク構造体３０１（たとえば層３０７）内で、多重襞３０８のうちの少なくとも１つの襞（たとえば、少なくとも１つの水平襞）によって特定の組の他の開口部各々から分離することができる。取り付け機構３０２が、右側３１２に近接して配置された開口部の第１組にねじ込まれるか又はそこを通過する場合、マスク構造体３０１（たとえば層３０７）内で、開口部の組の開口部を多重襞３０８のうちの少なくとも１つの襞（たとえば、少なくとも１つの水平襞）によって分離することにより、取り付け機構３０２は、マスク構造体３０１を右側３１２に近接して（たとえば、マスク構造体３０１の中心より右側３１２寄りに）合わせて拘束し、取り付け機構３０２が右側３１２に近接して配置された開口部の第１組にねじ込まれるか又はそこを通過する結果として、マスク構造体３０１を合わせて右側３１２に近接するようにすることができる。これらの実施形態又は他の実施形態において、取り付け機構３０２が、左側３１４に近接して配置された開口部の第２組にねじ込まれるか又はそこを通過する場合、マスク構造体３０１（たとえば層３０７）内で、開口部の組の開口部を多重襞３０８のうちの少なくとも１つの襞（たとえば、少なくとも１つの水平襞）によって分離することにより、取り付け機構３０２は、マスク構造体３０１を左側３１４に近接して（たとえば、マスク構造体３０１の中心より左側３１４寄りに）合わせて拘束し、取り付け機構３０２が左側３１４に近接して配置された開口部の第２組にねじ込まれるか又はそこを通過する結果として、マスク構造体３０１を合わせて左側３１４に近接するようにすることができる。したがって、いくつかの実施形態において、取り付け機構３０２は、右拘束機構３０３及び／又は左拘束機構３０４を含み、又は右拘束機構３０３及び／又は左拘束機構３０４として動作することができる。
【手続補正１１】
【補正対象書類名】明細書
【補正対象項目名】０１００
【補正方法】変更
【補正の内容】
【０１００】
さらに、いくつかの実施形態において、取り付け機構３０２が、取り付け機構３０２をマスク構造体３０１に結合するためにマスク構造体３０１（たとえば層３０７）に形成された開口部の１つ又は複数の組（たとえば、開口部の複数の組）にねじ込まれるか又はそこを通過する場合、取り付け機構３０２は、複数回、開口部の組のうちの１つ又は複数にねじ込むことができ、又はそこを通過することができる。たとえば、いくつかの実施形態において、取り付け機構３０２が右側３１２に近接して配置された開口部の第１組にねじ込まれるか又はそこを通過する場合、取り付け機構３０２は、複数回、右側３１２に近接して配置された開口部の第１組にねじ込むことができ、又はそこを通過することができる。これらの実施形態のうちのいくつかにおいて、複数回右側３１２に近接して配置された開口部の第１組にねじ込まれるか又はそこを通過する際、取り付け機構３０２は、マスク構造体３０１を使用者の頭部（たとえば、顔面領域及び／又は顎下領域）に結合するために、使用者の右耳の周囲に固定することができるループを形成することができる。これらの実施形態又は他の実施形態において、取り付け機構３０２が左側３１４に近接して配置された開口部の第２組にねじ込まれるか又はそこを通過する場合、取り付け機構３０２は、左側３１４に近接して配置された開口部の第２組にねじ込むことができ、又はそこを通過することができる。これらの実施形態のうちのいくつかにおいて、複数回左側３１４に近接して配置された開口部の第２組にねじ込まれるか又はそこを通過する際、取り付け機構３０２は、マスク構造体３０１を使用者の頭部（たとえば、顔面領域及び／又は顎下領域）に結合するために、使用者の左耳の周囲に固定することができるループを形成することができる。
【手続補正１２】
【補正対象書類名】明細書
【補正対象項目名】０１０５
【補正方法】変更
【補正の内容】
【０１０５】
多くの実施形態において、取り付け機構３０２は、１つの連続した部品であり得る。たとえば、いくつかの実施形態において、取り付け機構３０２は、１つの連続したバンド、ストラップ又は糸であり得る。しかしながら、他の実施形態では、取り付け機構３０２は、複数の別個の部品を含むことができる。たとえば、いくつかの実施形態において、取り付け機構３０２の第１部分（たとえば、第１ストラップ、バンド又は糸）は、マスク構造体３０１を右側３１２に近接して（たとえば、マスク構造体３０１の中心より右側３１２寄りに）結合することができ、取り付け機構３０２の第２部分（たとえば、第２ストラップ、バンド又は糸）は、マスク構造体３０１を左側３１４に近接して（たとえば、マスク構造体３０１の中心より左側３１４寄りに）結合することができる。さまざまな実施形態において、取り付け機構３０２の第１部分は、取り付け機構３０２の第２部分とは別個であり得る。さらなる実施形態において、取り付け機構３０２が、右側３１２に近接して（たとえば、マスク構造体３０１の中心より右側３１２寄りに）配置された開口部の第１組に、且つ左側３１４に近接して（たとえば、マスク構造体３０１の中心より左側３１４寄りに）配置された開口部の第２組に、ねじ込まれるか又はそこを通過する場合、取り付け機構３０２の第１部分は、右側３１２に近接して配置された開口部の第１組にねじ込むことができ、又はそこを通過することができ、取り付け機構３０２の第２部分は、左側３１４に近接して配置された開口部の第２組にねじ込むことができ、又はそこを通過することができる。これらの実施形態のうちのいくつかにおいて、取り付け機構３０２の第１部分は、左側３１４に近接して配置された開口部の第２組にねじ込まれず且つそこを通過せず、且つ／又は、取り付け機構３０２の第２部分は、右側３１２に近接して配置された開口部の第１組にねじ込まれず且つそこを通過しない。さらに、取り付け機構３０２が、右側３１２に近接して配置された開口部の第１組とマスク構造体３０１の中心との間に配置された開口部の１つ又は複数の組（たとえば、２つの組、３つの組等）にねじ込まれるか又はそこを通過する場合、且つ、取り付け機構３０２が、左側３１４に近接して配置された開口部の第２組とマスク構造体３０１の中心との間に配置された開口部の１つ又は複数の組（たとえば、２つの組、３つの組等）にねじ込まれるか又はそこを通過する場合、取り付け機構３０２の第１部分は、右側３１２に近接して配置された開口部の第１組とマスク構造体３０１の中心との間に配置された開口部の組（たとえば、２つの組、３つの組等）にねじ込むことができ、又はそこを通過することができ、取り付け機構３０２の第２部分は、左側３１４に近接して配置された開口部の第２組とマスク構造体３０１の中心との間に配置された開口部の組（たとえば、２つの組、３つの組等）にねじ込むことができ、又はそこを通過することができる。これらの実施形態のうちのいくつかにおいて、取り付け機構３０２の第１部分は、左側３１４に近接して配置された開口部の第２組とマスク構造体３０１の中心との間に配置された開口部の組にねじ込まれず且つそこを通過せず、且つ／又は、取り付け機構３０２の第２部分は、右側３１１に近接して配置された開口部の第１組とマスク構造体３０１の中心との間に配置された開口部の組にねじ込まれず且つそこを通過しない。
【手続補正１３】
【補正対象書類名】明細書
【補正対象項目名】０１０６
【補正方法】変更
【補正の内容】
【０１０６】
いくつかの実施形態において、取り付け機構３０２が複数の別個の部品を含む場合、且つ、取り付け機構３０２が、右側３１２に近接して（たとえば、マスク構造体３０１の中心より右側３１２寄りに）マスク構造体３０１に結合された第１部分（たとえば、第１ストラップ、バンド又は糸）を含む場合、取り付け機構３０２の第１部分は、右拘束機構３０３及び／又は右調整機構３０５を含むことができる。これらの実施形態又は他の実施形態において、取り付け機構３０２が複数の別個の部品を含む場合、且つ、取り付け機構３０２が、左側３１４に近接して（たとえば、マスク構造体３０１の中心より左側３１４寄りに）マスク構造体３０１に結合された第２部分（たとえば、第２ストラップ、バンド又は糸）を備える場合、取り付け機構３０２の第２部分は、左拘束機構３０４及び／又は左調整機構３０６を含むことができる。
【手続補正１４】
【補正対象書類名】明細書
【補正対象項目名】０１０７
【補正方法】変更
【補正の内容】
【０１０７】
いくつかの実施形態において、右拘束機構３０３が実施される場合、且つ、右拘束機構３０３が取り付け機構３０２とは別個である場合、取り付け機構３０２は、たとえば、右縁６３２（図６）と右拘束機構３０３との間等、右側３１２に近接してマスク構造体３０１に結合することができる。一方、左拘束機構３０４が実施される場合、且つ、左拘束機構３０４が取り付け機構３０２とは別個である場合、取り付け機構３０２は、たとえば、左縁６３３（図６）と左拘束機構３０４との間等、左側３１４に近接してマスク構造体３０１に結合することができる。
【手続補正１５】
【補正対象書類名】明細書
【補正対象項目名】０１０９
【補正方法】変更
【補正の内容】
【０１０９】
多くの実施形態において、図３に示すように、取り付け機構３０２は、右側に近接して（たとえば、マスク構造体３０１の中心より右側３１２寄りに）マスク構造体３０１に結合された第１ストラップと、左側３１４に近接して（たとえば、マスク構造体３０１の中心より左側３１４寄りに）マスク構造体３０１に結合された第２ストラップとを有するハーネスを含むことができる。これらの実施形態において、第１ストラップ及び第２ストラップは、使用者の右耳及び左耳の上で使用者の頭部の周囲に巻き付け、使用者の頭部の後方で合わせて結び付けるか又はクリップ留めすることができる。頭部は、頭部１０１（図１）と同様とすることができ、右耳は、右耳１１６（図１）と同様又は同一とすることができ、左耳は、左耳１１７（図１）と同様又は同一とすることができる。
【手続補正１６】
【補正対象書類名】明細書
【補正対象項目名】０１１５
【補正方法】変更
【補正の内容】
【０１１５】
図面を先に進むと、図１１は、実施形態によるレスピレータ１１００を示す。レスピレータ１１００は、マスク構造体１１０１、取り付け機構１１０２、右側１１１２及び左側（図示せず）を備えることができる。一方、マスク構造体１１０１は、マスク構造体３０１（図３）、マスク構造体８０１（図８）及び／又はマスク構造体９０１（図９）と同様又は同一とすることができ、取り付け機構１１０２は、取り付け機構３０２（図３）、取り付け機構８０２（図８）及び／又は取り付け機構９０２（図９）と同様又は同一とすることができ、右側１１１２は、右側３１２（図３）、右側８１２（図８）及び／又は右側９１２（図９）と同様又は同一とすることができ、左側は、左側３１４（図３）、レスピレータ８００（図８）の左側及び／又はレスピレータ９００（図９）の左側と同様又は同一とすることができる。
【手続補正１７】
【補正対象書類名】明細書
【補正対象項目名】０１２１
【補正方法】変更
【補正の内容】
【０１２１】
図面を先に進むと、図１２は、実施形態によるレスピレータ１２００を示す。レスピレータ１２００は、マスク構造体１２０１、取り付け機構１２０２、右側１２１２及び左側（図示せず）を備えることができる。一方、マスク構造体１２０１は、マスク構造体３０１（図３）、マスク構造体８０１（図８）、マスク構造体９０１（図９）及び／又はマスク構造体１１０１（図１１）と同様又は同一とすることができ、取り付け機構１２０２は、取り付け機構３０２（図３）、取り付け機構８０２（図８）、取り付け機構９０２（図９）及び／又は取り付け機構１１０２（図１１）と同様又は同一とすることができ、右側１２１２は、右側３１２（図３）、右側８１２（図８）、右側９１２（図９）及び／又は右側１１１２（図１１）と同様又は同一とすることができ、左側は、左側３１４（図３）、レスピレータ８００（図８）の左側、レスピレータ９００（図９）の左側及び／又はレスピレータ１１００（図１１）の左側と同様又は同一とすることができる。
【手続補正１８】
【補正対象書類名】明細書
【補正対象項目名】０１２７
【補正方法】変更
【補正の内容】
【０１２７】
図面を先に進むと、図１３は、実施形態によるレスピレータ１３００を示す。レスピレータ１３００は、マスク構造体１３０１、取り付け機構１３０２、右側１３１２及び左側（図示せず）を備えることができる。一方、マスク構造体１３０１は、マスク構造体３０１（図３）、マスク構造体８０１（図８）、マスク構造体９０１（図９）、マスク構造体１１０１（図１１）及び／又はマスク構造体１２０１（図１２）と同様又は同一とすることができ、取り付け機構１３０２は、取り付け機構３０２（図３）、取り付け機構８０２（図８）、取り付け機構９０２（図９）、取り付け機構１１０２（図１１）及び／又は取り付け機構１２０２（図１２）と同様又は同一とすることができ、右側１３１２は、右側３１２（図３）、右側８１２（図８）、右側９１２（図９）、右側１１１２（図１１）及び／又は右側１２１２（図１２）と同様又は同一とすることができ、左側は、左側３１４（図３）、レスピレータ８００（図８）の左側、レスピレータ９００（図９）の左側、レスピレータ１１００（図１１）の左側及び／又はレスピレータ１２００（図１２）の左側と同様又は同一とすることができる。
【手続補正１９】
【補正対象書類名】明細書
【補正対象項目名】０１３３
【補正方法】変更
【補正の内容】
【０１３３】
図面を先に進むと、図１４は、実施形態によるレスピレータ１４００を示す。レスピレータ１４００は、マスク構造体１４０１、取り付け機構１４０２、右側１４１２及び左側（図示せず）を備えることができる。一方、マスク構造体１４０１は、マスク構造体３０１（図３）、マスク構造体８０１（図８）、マスク構造体９０１（図９）、マスク構造体１１０１（図１１）、マスク構造体１２０１（図１２）及び／又はマスク構造体１３０１（図１３）と同様又は同一とすることができ、取り付け機構１４０２は、取り付け機構３０２（図３）、取り付け機構８０２（図８）、取り付け機構９０２（図９）、取り付け機構１１０２（図１１）、取り付け機構１２０２（図１２）及び／又は取り付け機構１３０２（図１３）と同様又は同一とすることができ、右側１４１２は、右側３１２（図３）、右側８１２（図８）、右側９１２（図９）、右側１１１２（図１１）、右側１２１２（図１２）及び／又は右側１３１２（図１３）と同様又は同一とすることができ、左側は、左側３１４（図３）、レスピレータ８００（図８）の左側、レスピレータ９００（図９）の左側、レスピレータ１１００（図１１）の左側、レスピレータ１２００（図１２）の左側及び／又はレスピレータ１３００（図１３）の左側と同様又は同一とすることができる。
【手続補正２０】
【補正対象書類名】明細書
【補正対象項目名】０１３９
【補正方法】変更
【補正の内容】
【０１３９】
図面を先に進むと、図１５は、実施形態によるレスピレータ１５００を示す。レスピレータ１５００は、マスク構造体１５０１、取り付け機構１５０２、右側１５１２及び左側（図示せず）を備えることができる。一方、マスク構造体１５０１は、マスク構造体３０１（図３）、マスク構造体８０１（図８）、マスク構造体９０１（図９）、マスク構造体１１０１（図１１）、マスク構造体１２０１（図１２）、マスク構造体１３０１（図１３）及び／又はマスク構造体１４０１（図１４）と同様又は同一とすることができ、取り付け機構１５０２は、取り付け機構３０２（図３）、取り付け機構８０２（図８）、取り付け機構９０２（図９）、取り付け機構１１０２（図１１）、取り付け機構１２０２（図１２）、取り付け機構１３０２（図１３）及び／又は取り付け機構１４０２（図１４）と同様又は同一とすることができ、右側１５１２は、右側３１２（図３）、右側８１２（図８）、右側９１２（図９）、右側１１１２（図１１）、右側１２１２（図１２）、右側１３１２（図１３）及び／又は同様又は右側１４１２（図１４）と同様又は同一とすることができ、左側は、左側３１４（図３）、レスピレータ８００（図８）の左側、レスピレータ９００（図９）の左側、レスピレータ１１００（図１１）の左側、レスピレータ１２００（図１２）の左側、レスピレータ１３００（図１３）の左側及び／又はレスピレータ１４００（図１４）の左側と同様又は同一とすることができる。
【国際調査報告】
2020510507.tif 000018
2020510507.tif 000019
2020510507.tif 000020
2020510507.tif 000021